(57)【要約】【課題】従来の人工衛星技術では、発電する電気量が、少ない為、超小型の人工衛星を、複数回に分けて飛ばすしか無く、電気回路も電気消費を減らす技術が無く、技術開発費が、未だに高額請求される為、特許切れのＧＰＳ使用料は、商品の値段に跳ね返り、今だ一万円を切れない状況にしている。【解決手段】超軽量の、新2連振子型機械式発電機と高出力ソーラーパネルと高出力発電回路と高出力熱瞬間磁気電気変換装置の新技術によって、人工衛星を、もう少し大きくする事を可能にした世界最新技術に成り、人工衛星の打ち上げ回数を、減らす事を目的としている世界最新軽量高出力発電技術。【選択図】  図1
2011155267.tif 000002
【特許請求の範囲】
【請求項１】
本発明の、超軽量高出力発電人工衛星の、高出力ソーラーパネルは、通常シリコンに軽水素トリチウム電子と炭素では、出来ない熱吸収電気の磁気電気の瞬間変換する為の、圧電素子磁石体粒子内蔵の軽水素トリチウム電子入り圧電素子磁石体内蔵シリコンソーラーパネルの別名高出力ソーラーパネルを、積載した超軽量高出力発電人工衛星に成る。
【請求項２】
本発明の、超軽量高出力発電人工衛星の、高出力ソーラーパネルは、ソーラーパネルの発電量を、上げる為、シリコンに軽水素トリチウム電子を、混合合成したシリコンに太陽光と太陽熱を瞬間吸収したシリコン電子変換エネルギーを、軽水素トリチウム電子によって、増幅出来る軽水素トリチウム電子入りシリコンソーラーパネルを、内蔵積載した請求項1記載の超軽量高出力発電人工衛星に成る。
【請求項３】
本発明の、超軽量高出力発電人工衛星の、高出力ソーラーパネルは、地球軌道上で、人工衛星から、高出力ソーラーパネルを拡げる為の、高出力ＤＣブラシレスインバータ制御レールモーターの、高出力モーターとして、圧電素子磁石体に軽水素トリチウム電子入りの、高出力圧電素子磁石体シートパネルと軽水素トリチウム電子入りのチタン酸バリウムシートパネルを交互に、貼り合わせた高出力圧電素子磁石体にコイルを、巻いた軽量の電磁石内コイル磁石板を、積載内臓した請求項1記載の超軽量高出力発電人工衛星に成る。
【請求項４】
本発明の、超軽量高出力発電人工衛星の、高出力ＤＣブラシレスインバータ制御レールモーターの、モーターコイルは、高出力銅筒官コイルの、銅配線を、筒状の銅筒官配線にして、筒状空間に、軽水素トリチウム電子入りの圧電素子磁石体粒子を、銅筒官形状の空間に軽水素トリチウム電子入り圧電素子磁石体粒子を、銅筒官に詰めたコイル配線で有り、電気の通り易い物質で、コイル配線の構造形状を、変えたコイルを、高出力圧電素子磁石体に、きちんと順序良くコイル配線を、高出力圧電素子磁石体に巻いた、モータコイルとしては、世界で一番軽量で、少ない電気で、高速作動出来る高出力ＤＣブラシレスインバータ制御レールモーターを積載内臓した請求項1記載の超軽量高出力発電人工衛星に成る。
【請求項５】
本発明の、超軽量高出力発電人工衛星の、高出力ＤＣブラシレスインバータ制御レールモーターの永久磁石体部分は、鋼鉄永久磁石と異なる軽水素トリチウム電子入り圧電素子磁石体シートパネルと超薄型ステンレス磁石体を、被せた永久合成磁石体を、積載内臓した請求項1記載の超軽量高出力発電人工衛星に成る。
【請求項６】
本発明の、超軽量高出力発電人工衛星の、高出力ＤＣブラシレスインバータ制御レールモーターのコイル配線は、超軽量と電気を、通り易いコイル配線にする為、銅コイル配線を、銅筒官状のコイル銅筒官配線の中に、電気の通り易い物質のみを、銅筒官コイル配線に内蔵した電気の通り易い銅筒官コイル配線を、積載内臓した請求項1記載の超軽量高出力発電人工衛星に成る。
【請求項７】
本発明の、超軽量高出力発電人工衛星の、高出力ＤＣブラシレスインバータ制御レールモーターは、モーターの電気消費を、更に少なくする為に、圧電素子4電子磁気分割装置を、積載内臓した請求項1記載の超軽量高出力発電人工衛星に成る。
【請求項８】
本発明の、超軽量高出力発電人工衛星の、高出力ＤＣブラシレスインバータ制御レールモーターは、モーターの電気消費を、抑える為に、高出力発電回路の、軽水素トリチウム電子入り圧電素子磁石体シートパネルと軽水素トリチウム電子入りチタン酸バリウムシートパネルを、交互に重ねて圧縮した高出力圧電素子磁石体の中央近くの部分にプラス発電回路は、プラス磁気の一番弱い部分に、増幅電気取り出しの銅板配線とプラス増幅電気取り込み配線を、圧電素子磁石体の磁気の一番強い部分に電気取り込み配線を、取り付けたプラス発電回路とマイナス発電回路として、マイナス圧電素子磁石体の磁気の一番弱い部分に、増幅マイナス電気取り込みの為の銅板電気配線を取り付け、マイナス高圧電気取り込み配線を、マイナス圧電素子磁石体の磁気の一番強い部分に取り付けた、高出力プラス発電回路と高出力マイナス発電回路を、モーター配線に積載内臓した請求項1記載の超軽量高出力発電人工衛星に成る。
【請求項９】
本発明の、超軽量高出力発電人工衛星の、高出力ＤＣブラシレスインバータ制御レールモーターのモーター配線は、通常の銅配線と異なり、超電導配線とも異なる、電気の通り易い物質で、作り上げた超軽量の電気の通りが、良い電気配線は、銅線を、筒状にした銅筒官配線に軽水素トリチウム電子と圧電素子磁石体粒子を、混合合成した物質を、銅筒官に内蔵した、高出力銅筒官配線に、木材灰入りのグラスファイバーゴムを、銅筒官配線の表皮とする事で、銅筒官配線が、燃え無い構造にした事で、万が一の火災事故に成りずらい高出力銅筒官電気配線を、積載内臓した請求項1記載の超軽量高出力発電人工衛生に成る。
【請求項１０】
本発明の、超軽量高出力発電人工衛星の、熱感知サーモカメラの放射線装置は、何度も繰り返し使用出来て、放射線を、大気中に放出しなくて済む手段として、透明プラスチック溶液に、一度放射線カメラが、放射線を使う分の放射線量を、透明プラスチック溶液に混合合成したシートパネルに、超薄型透明プラスチックシートを、被せる事で、一度使う分の放射線を、大気中に出さない二重構造の放射線入り透明プラスチックシートパネルに、クリスタル筒ガラスに、放射線入りプラスチックシートパネルを、内蔵する事で、超微量放射線を、三重にクリスタル溶液とプスチックシートとクリスタル筒形状ガラスに三重内蔵構造にする事で、放射線の人への放射線被害を、無くして、万が一放射線サモーカメラが、破損しても、放射線が完全に漏れない構造とカメラ自体が燃えても、一度使う超微量放射線量にしたサモー熱感知カメラ装置を積載内蔵した請求項1記載の超軽量高出力発電人工衛星に成る。
【請求項１１】
本発明の、超軽量高出力発電人工衛星の、熱感知サモーカメラは、レントゲンスコープカメラの切換えが出来る熱感知サモーカメラ回路とレントゲンスコープカメラ回路の二つのカメラ回路を、積載内臓した請求項1記載の超軽量高出力発電人工衛星に成る。
【請求項１２】
本発明の、超軽量高出力発電人工衛星の、熱感知サモーカメラは、レントゲンスコープカメラと通常カメラの三種類のカメラ切換えが出来る放射線内蔵クリスタル筒パネルを、高出力モーター移動出来る装置を、積載内臓した請求項1記載の超軽量高出力発電人工衛星に成る。
【請求項１３】
本発明の、超軽量高出力発電人工衛星の、熱感知サモーカメラとレントゲンスコープカメラと通常カメラの切換えが、出来る高出力モーター切換え放射線パネルには、高出力発光ダイオード玉を、放射線パネルの大きさのパネルに、複数の高出力発光ダイオード玉を、内蔵したパネルによって、カメラレンズライト構造を、可能にした装置を、積載内蔵した請求項1記載の超軽量高出力発電人工衛星に成る。
【請求項１４】
本発明の、超軽量高出力発電人工衛星の、ＧＰＳ衛星送受信装置は、高出力銅筒官コイル配線と高出力コイルと高出力電磁石と高出力銅筒官電気配線と木材灰入り亜麻布コンデンサー装置と木材灰入りエボナイト粒子絶縁体と圧電素子磁石体粒子入りプラスチックアンテナ構造のＧＰＳ衛星送受信装置を、積載内臓した請求項1記載の超軽量高出力発電人工衛生に成る。
【請求項１５】
本発明の、超軽量高出力発電人工衛星の、ＧＰＳ衛星送受信装置のＣＰＵは、木材灰入りエボナイト素子と軽水素トリチウム電子入り圧電素子磁石体シートパネルと絶縁体シートを交互に貼り合わせたシートを、コンデンサーコイルに巻いた装置を、積載内臓した請求項1記載の超軽量高出力発電人工衛生に成る。
【請求項１６】
本発明の、超軽量高出力発電人工衛星の、ＧＰＳ衛星送受信装置のＣＰＵは、超小型の圧電素子4電子磁気分割装置の電気中の熱抵抗電気だけを取り除く装置を積載内臓したＣＰＵの電気消費を抑える装置を、積載内臓した請求項1記載の超軽量高出力発電人工衛星に成る。
【請求項１７】
本発明の、超軽量高出力発電人工衛星の、ＧＰＳ衛星送受信装置のＣＰＵのヒートスプレッダは、軽水素トリチウム電子入り圧電素子磁石体粒子内蔵シリコン熱瞬間吸収発電シートパネルを、フロンガス内蔵炭素にビニールシートを被せた冷却シートパネル二枚の間に、軽水素トリチウム電子入り圧電素子磁石体粒子内蔵シリコン熱瞬間吸収発電シートパネルを、内蔵する事で、ヒートスプレッダーの温度上昇を、ヒートスプレッダーに内蔵した熱瞬間吸収発電シートパネルによって、ヒートスプレッダーの温度上昇を、全自動温度感知と温度認識管理出来る装置を積載内臓した請求項1記載の超軽量高出力発電人工衛星に成る。
【請求項１８】
本発明の、超軽量高出力発電人工衛星の、ＧＰＳ衛星送受信装置のＣＰＵのキャッシュメモリー装置は、圧電素子磁石体粒子の磁気書き込み素子体を、積載内臓したキャッシュメモリー構造のＣＰＵを積載内臓した請求項1記載の超軽量高出力発電人工衛星に成る。
【請求項１９】
本発明の、超軽量高出力発電人工衛星の、ＧＰＳ衛星送受信装置のフラッシュメモリーのＲＯＭの雑草灰入りのセメント製のパッケージに、軽水素トリチウム電子入りの圧電素子磁石体粒子内蔵のシリコン熱瞬間吸収発電シート超薄パネルを、雑草灰入りのセメント製のパッケージに貼り付ける事で、フラッシュメモリーの電気熱瞬間吸収発電出来るフラッシュメモリーを、積載内臓した請求項1記載の超軽量高出力発電人工衛星に成る。
【請求項２０】
本発明の、超軽量高出力発電人工衛星の、超望遠カメラは、熱感知サモーカメラとレントゲンスコープカメラと紫外線カメラとスキャンカメラと赤外線カメラと通常カメラそれぞれの全自動高出力モーター切換え出来る超望遠カメラを、積載内臓したライト変換出来る装置を積載内臓した請求項1記載の超軽量高出力発電人工衛星に成る。
【請求項２１】
本発明の、超軽量高出力発電人工衛星の、電源は、高出力ソーラーパネルと高出力発電回路と新2連振子型機械式発電機の三種類の発電システムを、積載内臓した請求項1記載の超軽量高出力発電人工衛星に成る。
【請求項２２】
本発明の、超軽量高出力発電人工衛星の、新2連振子型機械式発電機のバッテリーは、バッテリー液に軽水素トリチウム電子を使用したニッケル充電する為の金属体のバッテリーを、積載内臓した請求項1記載の超軽量高出力発電人工衛星に成る。
【請求項２３】
本発明の、超軽量高出力発電人工衛星の、新2連振子型機械式発電機のバッテリーは、高出力発電回路の高出力プラス発電回路と高出力マイナス発電回路と高出力銅板銅筒官配線を、磁極の強い部分と磁極の弱い部分に、それぞれプラス発電回路とマイナス発電回路に積載内臓して、バッテリー本体の電気打撃によって、高出力発電回路に高圧電気を、プラス発電回路にプラス高圧電気を通してマイナス発電回路に高圧マイナス電気を通す事で、高出力圧電効果の電気打撃増幅発電効果によって、増幅発電出来る高出力発電回路によって、循環発電型のバッテリーシステムを、積載内臓した請求項1記載の超軽量高出力発電人工衛星に成る。
【請求項２４】
本発明の、超軽量高出力発電人工衛星の、新2連振子型機械式発電機のバッテリーは、圧電素子4電子磁気分割装置によって、バッテリーに充電する電気中の熱抵抗電気を、取り除く事によって、バッテリー充電スピードを、世界最速のバッテリー充電スピードを、可能にしたバッテリーに充電する電気中の熱抵抗電気を、全て取り除く圧電素子4電子磁気分割装置を、積載内臓した請求項1記載の超軽量高出力発電人工衛星に成る。
【請求項２５】
本発明の、超軽量高出力発電人工衛星の、新2連振子型機械式発電機に積載する高出力ダイナモ装置構造は、軽水素トリチウム電子入り圧電素子磁石体シートパネルと軽水素トリチウム電子入りチタン酸バリウムシートを、交互に貼り合わせた高出力圧電素子磁石体を、通常ダイナモの中央部分を、刳り貫いた場所に高出力圧電素子磁石体を、隙間なく高出力圧電素子磁石体を入れて、超薄板のステンレス板カバーを、ポルト止めした構造の高出力ダイナモを、積載内臓した請求項1記載の超軽量高出力発電人工衛星に成る。
【請求項２６】
本発明の、超軽量高出力発電人工衛星の、新2連振子型機械式発電機に積載する電気電子変換増幅装置構造は、高出力マグネトロンの軽水素トリチウム電子入り圧電素子磁石体シートパネルと軽水素トリチウム電子入りチタン酸バリウムシートパネルを、交互に複数貼り合わせた高出力圧電素子磁石体を、マグネトロン装置として、使用する事で、高出力マグネトロン装置に成り、通常マグネトロンより、電子発生量が、多く成る高出力マグネトロン装置を、積載内臓した新2連振子型機械式発電機を積載内臓した請求項1記載の超軽量高出力発電人工衛星に成る。
【請求項２７】
本発明の、超軽量高出力発電人工衛星の、新2連振子型機械式発電機に積載内臓する電気電子変換増幅装置の、コイルは、銅配線を、筒状の銅筒官配線にした銅筒官空洞に、軽水素トリチウム電子入り圧電素子磁石体粒子配線を、銅筒官配線に内蔵した電気の通り易い物質だけで、電気電子変換増幅装置に銅筒官コイルとして、内蔵積載した請求項1記載の超軽量高出力発電人工衛星に成る。
【請求項２８】
本発明の、超軽量高出力発電人工衛星の、新2連振子型機械式発電機に、積載内臓するコンデンサーは、エボナイト粒子と磁気粒子とシリコン粒子と窒素粒子を、銅筒官コイル配線に、内蔵したコイル配線を、コンデンサーコイル配線に内蔵する事と、軽水素トリチウム電子入り圧電素子磁石体シリコン熱瞬間吸収発電シートパネルを、コンデンサーに貼り付ける事で、コンデンサーの熱放出エネルギーを、軽水素トリチウム電子入り圧電素子磁石体粒子内蔵シリコンシートパネルによって、コンデンサー熱瞬間吸収発電シートによって、瞬間発電を可能にした電気貯蓄コンデンサーと熱発電シートパネルを、積載内臓した請求項1記載の超軽量高出力発電人工衛星に成る。
【請求項２９】
本発明の、超軽量高出力発電人工衛星の、新2連振子型機械式発電機に、積載内臓するコンデンサーコイル配線は、電気を溜める構造の配線にする為に、エボナイト素子粒子と圧電素子磁気粒子とシリコン粒子と窒素粒子を、混合合成した電気を、貯める配線を、銅筒官形状配線の、空間に内蔵した熱発電出来るコンデンサーを、積載内臓した請求項1記載の超軽量高出力発電人工衛星に成る。
【請求項３０】
本発明の、超軽量高出力発電人工衛星の、新2連振子型機械式発電機に積載内臓する抵抗素子体は、高出力銅筒官配線の付いている燃える生ゴミの灰とガラス溶液と竹灰を、混合合成した竹灰粒子を、多くした抵抗体素子別名絶縁体素子に、銅筒官配線を取り付けた絶縁体素子を、積載内臓した請求項1記載の超軽量高出力発電人工衛星に成る。
【請求項３１】
本発明の、超軽量高出力発電人工衛星の、新2連振子型機械式発電機に積載内臓するインバータ制御装置配線は、高出力銅官配線を、取りつけたインバータ制御装置を、内蔵積載した請求項1記載の超軽量高出力発電人工衛星に成る。
【請求項３２】
本発明の、超軽量高出力発電人工衛星の、新2連振子型機械式発電機に積載内臓する新2連振子型機械式発電機本体ボデイパネル装置は、グラスファイバー網に、部品固定箇所金具板として、アルミニュームパネルをグラスファイバー網に取り付けて竹灰を、発砲スチロールに混合合成したパネルを貼り付けた状態の軽量パネルに、竹灰と樹脂を、混合合成したシートを、竹灰入りの発砲スチロールパネルに貼り付けた超軽量の新2連振子機械式発電機の本体カバーパネルを、積載内臓した請求項1記載の超軽量高出力発電人工衛生に成る。
【請求項３３】
本発明の、超軽量高出力発電人工衛星の、新2連振子型機械式発電機に積載内臓する新2連振子型機械式発電機本体の歯車構造は、アルミニューム超薄板１ミリパネルと木材粉粒子と雑草灰と発砲スチロール溶液を、混合合成した１ミリパネルを、交互に貼り合わせた超軽量歯車パネルを、積載内臓した請求項1記載の超軽量高出力発電人工衛星に成る。
【請求項３４】
本発明の、超軽量高出力発電人工衛星の、新2連振子型機械式発電機に積載内臓する新2連振子型機械式発電機本体の歯車構造は、木材合板に複数針穴構造のグラスファイバーシートの超軽量貼り合わせ歯車と複数穴空き構造の超軽量貼り合わせ歯車を、積載内臓した請求項１記載の超軽量高出力発電人工衛星に成る。
【請求項３５】
本発明の、超軽量高出力発電人工衛星の、新2連振子型機械式発電機に積載内臓する新2連振子型機械式発電機本体の歯車軸は、ステンレス筒官空洞官に、グラスファイバー溶液を、流し込んだステンレス筒官の歯車軸を積載内臓した請求項１記載の超軽量高出力発電人工衛星に成る。
【請求項３６】
本発明の、超軽量高出力発電人工衛星の、新2連振子型機械式発電機に積載内臓する新2連振子型機械式発電機本体の全自動巻き取り機能付きの大型ゼンマイ装置のゼンマイ板は切断防止対策として、超細ワイヤを、2本ゼンマイ板に使用積載内臓した請求項１記載の超軽量高出力発電人工衛生に成る。
【請求項３７】
本発明の、超軽量高出力発電人工衛星の、新2連振子型機械式発電機に積載内臓する大型ゼンマイ装置のゼンマイを全自動で巻き取る為の超小型高出力モーターは、内コイル式の高出力銅筒官コイル配線と高出力圧電素子磁石体板と樹脂軽水素トリチウム電子入り圧電素子磁石体混合合成内コイル枠に、高出力圧電素子磁石体パネルを、はめ込んで複数穴空きのステンレス板を、高出力圧電素子磁石体の、モーター内コイル滑落防止の為の、複数針穴形状のステンレス磁石シート板を、被せて、高出力銅筒官コイルを巻いた超軽量内コイル式の内コイルで有り、永久磁石には、圧電素子磁石体と超薄板鋼鉄磁石板を、交互に貼り合わせた永久人工合成磁石を、セットにした超小型軽量の高出力内コイルモーターの高出力モーターを、積載内臓した請求項1記載の超軽量高出力発電人工衛星に成る。
【請求項３８】
本発明の、超軽量高出力発電人工衛星の、新2連振子型機械式発電機に積載内臓する部分的高出力ＤＣブラシレスインバータ制御モーターは、高出力電磁石と高出力人工合成永久磁石を積載内臓した請求項1記載の超軽量高出力発電人工衛星に成る。
【請求項３９】
本発明の、超軽量高出力発電人工衛星の、新2連振子型機械式発電機に積載内臓する部分的高出力ＤＣブラシレスインバータ制御モーターは、複数の人工合成永久磁石を、複数の電磁石円形軌道上を、半永久的に永久磁石連続往復運動する電磁誘導発電する為、電磁誘導発電電気が発生する為、複数の人工合成永久磁石によって複数の電磁石装置の高出力銅筒官コイル配線によって電磁誘導発電電気を、高出力電磁石から回収出来る高出力ＤＣブラシレスインバータ制御レールモーターの高出力電磁石構造を、積載内臓した請求項1記載の超軽量高出力発電人工衛星に成る。
【請求項４０】
本発明の、超軽量高出力発電人工衛星の、新2連振子型機械式発電機に積載する振子装置の磁極切換え側の電磁石は、高出力電磁石の軽水素トリチウム電子入り圧電素子磁石体シートパネルの高出力圧電素子磁石体を、軽水素トリチウム電子入り圧電素子磁石体に鋼鉄永久磁石カバーをして高出力銅筒官コイル配線を巻いた構造の電磁石とインバータ磁極切換え装置を、積載内臓した振子作動装置システムを積載した請求項1記載の超軽量高出力発電人工衛星に成る。
【請求項４１】
本発明の、超軽量高出力発電人工衛星の、新2連振子型機械式発電機に積載する部分的装置の大型ゼンマイ装置の全自動巻き取り装置は、アルミニュームゼンマイカバーとゼンマイの一部分に、電気スイッチの銅接触超小型ブロックを、ゼンマイ板外側部分の一か所に取り付けた全自動ゼンマイ巻き取りスイッチを、積載内臓した請求項1記載の超軽量高出力発電人工衛星に成る。
【請求項４２】
本発明の、超軽量高出力発電人工衛星の、新2連振子型機械式発電機に積載する部分的装置の大型ゼンマイ装置の全自動巻き取り装置は、ゼンマイ平板に銅配線を取りつけたゼンマイ板を、積載内臓した請求項1記載の超軽量高出力発電人工衛星に成る。
【請求項４３】
本発明の、超軽量高出力発電人工衛星に積載する物体距離確認複数ライトライン装置は、カラー色の赤色ライトライン光を、使って、人工衛星の軌道修正装置を、キャッチする為の、人工衛生位置を、特定するレーザーと丸っきり異なる熱を放出しない色ガラスを使ったライト光を、望遠装置を逆さまに使用した光誘導筒装置を積載内臓した請求項1記載の超軽量高出力発電人工衛星に成る。
【請求項４４】
本発明の、超軽量高出力発電人工衛星の軌道修正の為の交換酸素タンクは、アルミニュームタンクの超細糸ワイヤの高出力モーター巻き取り装置によって、人工衛星軌道酸素タンクを、交換する為の装置を、積載内臓した請求項1記載の超軽量高出力発電人工衛星に成る。
【請求項４５】
本発明の、超軽量高出力発電人工衛星の軌道修正の為の交換酸素タンクを、キャッチする為の超軽量絹糸網は、超軽量高出力発電人工衛星本体二か所から、網を地球軌道上に、網を、這わせて交換用酸素タンクを、キャッチする為の超軽量高出力発電人工衛星の超軽量網を、積載内蔵した請求項1記載の超軽量高出力発電人工衛星に成る。
【請求項４６】
本発明の、超軽量高出力発電人工衛星の軌道修正する場合は、超小型ロケット型人型ロボットの補助酸素タンクによって、超軽量高出力発電人工衛星の軌道を、補正して、長い間、地球の軌道上で、超軽量高出力発電人工衛星のＧＰＳ位置確認作業と海水温度測定及び地上の温度測定と地上の紫外線量と地上の雪の下のレントゲン撮影と地上の望遠撮影が、出来る望遠切換えカメラを内蔵積載した請求項1記載の超軽量高出力発電人工衛星に成る。
【請求項４７】
本発明の、超軽量高出力発電人工衛星は、地球軌道上のニュートリノ量を、計測する為のニュートリノセンサーを、超軽量高出力発電人工衛星のパネル面に内蔵積載した請求項1記載の超軽量高出力発電人工衛星に成る。
【請求項４８】
本発明の、超軽量高出力発電人工衛星は、宇宙からの可視光線を、計測する為のパネルを、超軽量高出力発電人工衛星本体パネルに積載内臓した請求項1記載の超軽量高出力発電人工衛星に成る。
【請求項４９】
本発明の、超軽量高出力発電人工衛星は、複数の衛星波を、中継出来る衛星波中継送受信装置を、積載内臓した請求項1記載の超軽量高出力発電人工衛星に成る。
【請求項５０】
本発明の、超軽量高出力発電人工衛星は、月の位置と太陽の位置と他の身近な位置の星の位置を、計測出来る切換え型望遠カメラを、積載内臓した請求項1記載の超軽量高出力発電人工衛星に成る。
【発明の詳細な説明】
【技術分野】
【０００１】
本発明は、全世界の人工衛星の賄う発電装置に関して説明した文章で有る。
【背景技術】
【０００２】
従来のマスコミ発表の人工衛星は、発電量が少ない為、少し重めの人工衛星機器を、積載しても、電気量が賄うだけ、機械設備を一度に保持出来なかったのも現状で有る。
【０００３】
以下、図1と図2と図3と図4と図5と図6により従来の人工衛星に付いて説明する。
従って、図1の1は、太陽光熱瞬間吸収発電ソーラーパネルは、通常のブルー色のソーラーパネルに中り、4は、衛星電波送受信装置で有り、衛星電話の電波中継装置に成り、2のモーターカスガイ軸は、従来の人工衛星特有の構造に成り、5の衛星ＧＰＳ電波送受信装置は、あらゆる衛星ＧＰＳ電波特定位置に使用されている従来のＧＰＳの改良型に成り、従来のＧＰＳコイルが、図6の52の高出力コイルの新技術を、用いて作られている為、電気消費を抑える事が出来ているばかりか、図5の42の圧電素子4電子磁気分割装置によって、従来の電気消費より、少ない電気消費で、従来の人工衛星の電気機器を作動させる事が出来る。
【０００４】
更に、図の2の9の熱感知サモーカメラは、従来型は、放射線タンクまたは、カメラ全体に放射線を、内蔵したタイプに成り、28のモーター移動型放射線内蔵パネルは、カメラ機能を、複数にする為の新技術に成り、人工衛星複数カメラを、超えた他社に無い複数カメラ機能の人工衛星カメラと一般に持ち運び出来る複数機能カメラの新技術に成る。
【０００５】
この他、図2の10の、超望遠レントゲンスコープファイブ切換えカメラは、過去の人工衛星のサモーカメラと超望遠カメラに中る装置に成る。
【０００６】
その他、図4の、27の人工衛星カメラの新ＣＣＤカメラ被写体確認認識認知全自動電波切換え装置は、今までのカメラのＣＣＤ装置に成り、新技術として、軽水素トリチウム電子入りダイオード被写体認識パネル装置に成り、ＣＣＤ被写体パネル配線に、電気の通る透明プラスチックと透明窒素と軽水素を混合合成したＣＣＤパネル使用の配線が、使用され、現在の、ＣＣＤ被写体カメラのＣＣＤ装置より、カメラ被写体認識スピードが、世界最速技術に成る。                       
【０００７】そして、図1の、3の高出力ＤＣブラシレスインバータ制御レールモーターは、通常の人工衛星は、超小型内コイルモーター使用か、ワイヤによって、人工衛星のソーラーパネルを、開く構造が主だと思われる。（公序良俗違反につき、不掲載）【０００８】
この他、図2の、10の超望遠レントゲンスコープファイブ切換えカメラは、従来の通常の人工衛星カメラは、サモー熱感知放射線カメラは、放射線タンクを積載したりして、超微量の放射線を、放出したりして、放射線とダイオードＣＣＤの被写体認識確認認知連絡装置を、使って地球上の地上熱を、観測出来るカメラと通常望遠切換えカメラが、積載に成って入ると思われる。
従って、10の超望遠レントゲンスコープファイブ切換えカメラは、5種類の事成ったカメラを、超微量放射線を内蔵したクリスタルガラス透明プスチック放射線シートパネル等の複数のそれぞれの、赤外線入りプラスチッククリスタルガラスシートパネルと紫外線入りプラスチッククリスタルガラスシートパネルと放射線入りプラスチックシート入りクリスタルガラスパネルと通常カメラとニュートリノ入りプラスチックシート内蔵クリスタルガラスパネルと可視光線入りプラスチックシート内蔵クリスタルガラスパネル等の、今後、新しいカメラに成る技術を、積載した人工衛星の超望遠ファイブ切換えカメラで有る。
【０００９】
そして、図1の、5の衛星ＧＰＳ電波送受信装置は、通常のＧＰＳ電波送受信装置の装置を、高出力コイル及び高出力電磁石及び高出力銅筒官コイル装置及び高出力人工合成永久磁石及び高出力発電回路装置及び圧電素子4電子磁気分割装置及び高出力銅筒官電気配線等の超軽量の電気使用量を、少なく出来る装置が、古い衛生ＧＰＳ電波送受信装置の装置に代わって積載内臓されて入る衛星ＧＰＳ電波送受信装置に成る。
【００１０】
この他、図3の17の高出力発電回路は、従来の超小型自動電池回路または、超小型自動充電池回路の発電回路装置に中る部分に成る。
【００１１】
更に、図6の、52の高出力コイルは、今までは、銅線コイルを、巻いただけのコイルだが、新技術の、50の銅筒官コイル配線を、巻く構造にする事で、電気消費を更に少なくしている。
そして、電気配線表皮は、通常のプラスチックゴムと異なる54の、木材灰入りプラスチックゴム絶縁体の電気配線表皮構造にする事で、電気配線表皮を軽くする新技術と電気配線表皮を、燃えずらくする構造にして有る。
【００１２】
その他、7の電波送受信衛星アンテナは、通常は家庭用のアンテナで有り、1の太陽光熱瞬間吸収発電ソーラーパネルを、使用する事で、軽水素トリチウム電子入りの圧電素子磁石体粒子入りシリコンアンテナにする事で、ソーラーパネルと衛星送受信アンテナの兼用を図ってる。
【００１３】
その他、図の10の、67の二層絶縁体は、新技術の68の、木材灰入りグラスファイバー絶縁体は、炭素より軽い木材灰を、使用する事で、絶縁体の重みを軽減している。
【先行技術文献】
【特許文献】
【００１４】
【特許文献１】実用新案登録第3145903号公報の省エネルギー水気化水発電機の手続き補正書に書かれている気化水素と酸素の融合体を、瞬間吸収発電する為の液体マグネシウムの熱電子を、瞬間に熱磁気電子に変える新技術として、複数針穴構造の圧電素子磁石体の枡の中に液体マグネシウムを、内蔵する事で、水素と酸素の融合体の瞬間吸収発電エネルギーを、瞬時に熱電子磁気変換する技術が、手続き補正書に書かれて公開に成っている墫野和夫の新技術で有る。
【発明の概要】
【発明が解決しようとする課題】
【００１５】
以上に述べた従来の人工衛星は、幅広く多くの電波送受信装置を送受信中継出来る装置を積載出来ない理由として、通常のソーラーパネルの発電量が少なく、充電池へ急速充電する装置も無く、スペースシャトルクラスの人工衛星を、上げても、賄うだけの電気量の燃料電池発電装置にも、循環発電燃料電池技術が、無い為、多くの、宇宙ステイションの電源は、通常の、ソーラーパネル技術しか無い為、宇宙ステイションの生活にも、電気使用量の制限が、起こるのも、現状の世界の、半永久の連続発電技術が、他社に無い事に成る用で有る。
【００１６】
本発明は、この様な従来の発明の構成が有していた問題を、解決するもので有り、ソーラーパネルの発電量を、多くしたり、充電池の瞬間急速充電装置と機械のみのダイナモの半永久連続発電装置を、人工衛星に乗せる事を、可能にする技術公開と海外へ日本企業の無い技術を、海外の企業と共同事業する事で、日本企業では、日本国の借金を増やす事業から、一日も早い日本国の全額借金を、返済する事業開始を、目的にするもので有る。
【課題を解決するための手段】
【００１７】
そして、本発明は、上記目的を達成する為に、通常ソーラーパネルの光吸収電気変換スピードと光熱の瞬間吸収の熱電子の電気変換スピードを、速くする為に、通常シリコンに、第一新技術として、軽水素トリチウム電子を、シリコンソーラーパネル素子に混合合成する技術に成るが、水素と重水素が、軽水素と似ているが、軽水素トリチウム電子は、電子が2つに成り、重水素は、電子1つとプルトニウム原子が一つに成り、水素は、電子3つにプルトニウム原子が一つに成るが、電子は、熱吸収と光吸収が、低い温度でも、活発に活動するが、プルトニウムは、250度以上に成らないと核融合活動しない物質で有り、太陽光の100度程度では、プルトニウムは、光と光熱瞬間吸収の電子活動の邪魔に成る為、軽水素トリチウム電子が、使用される理由に成る。
不正競争防止法の説明。
この他、電子を、多く含んだ気化物質と液体物質と固形物質を、通常ソーラーパネルのシリコン材に入れる事は、シリコン内の電子量が多い程、光瞬間吸収率と光熱瞬間吸収率を、上げる事が出来る技術に成り、ソーラーパネルシリコンに軽水素トリチウム電子以外の電子物質を、入れる技術は、著作権法の盗作と特許技術の不正競争防止法の不正技術に成る。
此の場合、特許権切れの原子力発電技術は、全世界に設置されていないのは、原子力発電の特許切れでも、特許切れの著作権が生きて、特許権切れの著作権契約が、無ければ不正競争防止法違反に成り、原子力売電の事業の利益介入によって、原子力発電の売電事業罰金まで、請求されるからで有る。
但し、原子力のウラン鉱石を、別の技術の核融合発電させたり、ウラン鉱石を、核融合とは、異なる新技術によって、発電する技術を、構築したり、ウラン鉱石を使った原子力廃棄物を、出さない発電新技術は、ウラン鉱石を、使った新技術に成り、特許権を受ける事が出来る事に成る。
【００１８】また、第2の課題解決手段の説明。従って、第2の課題解決手段として、特許請求項1の通常ソーラーパネルに、圧電素子磁石体粒子を、内蔵する事で、通常シリコンは、通常シリコン磁気パネルに成る為、通常シリコンが、太陽光と太陽光熱を吸収した時点で、シリコン電子が、活発に作動する事によって、発電する技術に対して、圧電素子磁石体粒子を混合合成した通常シリコンは、圧電素子磁石体粒子入りのシリコンの電子を、プラス磁気電子とマイナス磁気電子に、瞬間に別れる為、熱電子移動が、瞬間にプラス磁気電子とマイナス磁気電子に分ける事を可能にした為、通常シリコン及び炭素混合合成シリコンの熱電気の熱磁気電気変換が、瞬間に行う事も、可能にした技術は、一番特許性の濃い技術として、通常シリコンに軽水素トリチウム電子と圧電素子磁石体粒子を、混合合成する事で、太陽光発電だけでなく、他のすべての湯熱を、軽水素トリチウム電子入り圧電素子磁石体内臓シリコンシートパネルは、湯熱のみならず、電気熱の瞬間吸収発電及び摩擦熱の瞬間吸収発電及び液材の熱の瞬間吸収発電装置に成る。その他に、注目される技術として、燃料電池のガス熱発電技術と燃料電池の液体マグネシウムの熱放出の瞬間吸収発電技術及び火力発電の熱瞬間吸収発電パネルと原子力発電の熱瞬間吸収発電にしようしたり、出来る理由として、シリコンソーラーパネルは、太陽光吸収発電時、シリコン電子移動が、活発に成る為で有る。他の、不正競争防止法の課題解決手段説明。従って、圧電素子磁石体は、雲母粒子とチタン酸バリウム液に成るが、通常の圧電素子は、黒色に成るが、白いペンキまたは、植物塗料材などによって、圧電素子磁石体の色を変えても、不正競争防止法違反に成るのは、色を変えた圧電素子磁石体に於いても、圧電素子効果は、同じで有る物質に成る。この他、雲母粒子材からガラス粒子材に変えた圧電素子磁石体に成る為、雲母粒子を、変えた場合でも、不正競争防止法違反に成る。この他、チタン酸バリウムと同じ効果の有る物質を、使っても、不正競争防止法違反に成る。更に、通常金属磁石体粒子を、ガラス粒子と混合合成加工した磁気粒子を、チタン酸バリウムと混合合成した圧電素子磁石体に至っても、不正競争防止法の違反物質に成る。（公序良俗違反につき、不掲載）【００１９】
また、第3の課題解決手段の説明。
従って、第3の課題解決手段として、特許請求項2の通常ソーラーパネルに、軽水素トリチウム電子を、入れる事で、シリコン内の電子量を、多くする事で、太陽光熱を、少なくても、軽水素トリチウム電子入りのシリコンパネル及びシートパネルによって、太陽光熱の増幅発電が可能に成る。
従って、第3の課題解決手段として、特許請求項2の通常ソーラーパネルに、軽水素トリチウム電子を、入れた場合は、軽水素トリチウム電子自体が、熱と混合する為、熱エネルギーの増幅に成る為、ブラウン官のアルゴン気化物質も、長く使用しても、爆発せず熱を溜める事が、少しだが、可能に成りそうな物質で有り、ネオン気化物質も、熱エネルギーを、溜める効果が有り、シリコンソーラーパネルに、アルゴンガス入りのシリコンソーラーパネルとネオンガス入りのシリコンソーラーパネルが、可能に成る理由に、アルゴンガスの電子質量とネオンガスの電子質量の電子量に成る。
更に、長年に渡って、水素を使った技術は、多種多彩に、海外にも有る用で有り、重水素プルトニウムも、原子力発電として期待されている物質で有り、原子力廃棄物も、少なくて済む用で有る。
しかしながら、軽水素トリチウム電子の合成技術と混合合成技術は、テレビマスコミ紹介と新聞マスコミ公開は、無いのが事実の様で有る。
この他、規則正しいエネルギー移動物質が、見つかれば、圧電素子磁石体以外の磁気以外の磁石体を、作る事も可能に成るかもしれないが、不正競争防止法に違反する事に成る。
製造方法説明従って、軽水素トリチウム電子入り圧電素子磁石体粒子内蔵シリコンソーラーパネルは、高温の場合、軽水素トリチウム電子を内蔵使用混合合成積載する為、低温で、ゆっくり固まる液化シリコンは、アルコールとシリコンを、低温融解した物質で有り、気発生の良いアルコールと液体シリコンを、混合合成して、軽水素トリチウム電子と圧電素子磁石体粒子を、混合合成して、ゆっくり固めたソーラーパネルが、軽水素トリチウム電子入り圧電素子磁石体粒子入りシリコンソーラーパネルに成り、薄型シート状にすると電気熱及び湯熱及びガス熱及び摩擦熱の瞬間熱吸収の熱瞬間吸収熱磁気電気変換シート装置に成り、他社に無い新技術に成る。
軽水素トリチウム電子が、発火性が強く製造過程の引火による火災は、注意しなければ成らない。
【００２０】
また、第4の課題解決手段の説明。
従って、第4の課題解決手段として、特許請求項3の超軽量高出力発電人工衛星の高出力ソーラーパネルを、省電気消費の高出力ＤＣブラシレスレールインバータ制御モーターは、超軽量モーター構造にする為に、通常コイルの銅配線を、筒状にして、銅筒官形状のコイル配線の空間に、軽量物質で、電気の通り易い物質の、軽水素トリチウム電子と圧電素子磁石体粒子を、混合合成した電気が通り易い配線を、銅筒官形状配線の銅筒官形状の空間に、軽水素トリチウム電子入りの圧電素子磁石体粒子配線を、入れたモーターコイル配線に成る。
此の、銅筒官コイル配線は、電気抵抗を、掛けない電気配線説明として、軽水素トリチウム電子は、電気スピードと同じ物質に成り、圧電素子磁石体自体が、圧電効果によって、圧電素子磁石体から、電子を発生させる事が出来る物質の為、軽水素トリチウム電子を、混合合成する事で、電気の通り易い電気配線が出来る事に成る。
次に、モーターコイル板を、軽水素トリチウム電子入りの圧電素子磁石体粒子内蔵のシートパネル磁石体と軽水素トリチウム電子入りチタン酸バリウムシートパネルを、交互に貼り合わせた軽水素トリチウム電子量の多く入った高出力圧電素子磁石体パネルのモーター内コイル板を、超薄型の複数針穴形状のステンレス板を、使って高出力圧電素子磁石体の崩壊防止の為の、超薄ステンレス板カバーを、取り付けた内コイル板に、高出力銅筒官コイルを、きちんと順序良く高出力銅筒官コイルを高出力圧電素子磁石体に巻いたのが、高出力電磁石に成り、高出力電磁石と高出力圧電素子の永久磁石と複数の絶縁体と高出力銅筒官電気配線と複数のインバータ制御装置を、組み合わせてＤＣブラシレスモーター構造の、高出力ＤＣブラシレスインバータ制御モーターとした装置で有る。
【００２１】
また、第5の課題の解決手段説明。
従って、第5の課題解決手段として、特許請求項4の高出力ＤＣブラシレスレールインバータ制御モーターの、高出力銅筒官コイル配線は、軽水素トリチウム電子を、圧電素子磁石体に、混合合成した電気の通り易い物質のみで、作り上げた電気配線で有り、軽水素トリチウム電子は、電気レベルの無抵抗電気配線に成り、銅筒官コイルの空洞に入れる事で、モーターコイル配線可能な、電気抵抗ゼロレベルに近いモーターコイル配線を、可能した事実で有る。
此の場合、最近では、有名な慶応大学の超電導配線を、銅筒官に内蔵した、銅筒官超電導コイル配線と高出力銅筒官コイル配線は、どちらが電気抵抗無で、電気が流れるかと言われると、慶応大学の超電導ケイ素素子とヨウ素素子は、超電導物質に優れているが、軽水素トリチウム電子の電子レベルの電気の流れを可能にした、高出力銅筒官コイル配線の方が、恐らく慶応大学に勝つ事に成るが、超電導物質は、固形物資より、気化物質の方が優れていた事に成り、残りの液体を、電気配線にする場合、水は一つの例で有り、炭素水を、銅筒官に入れて電気を、流した場合、軽水素酸素水と炭素合成の流化炭素を、電気配線にした場合電気の流れは、慶応大学の超電導配線より、電気の流れは速く成る。
理由として、通常の水は、プルトニウム重水素原子が有る為、電気の流れを妨げるが、軽水素酸素水は、プルトニウム重水素が入って無い炭素の為、電気がスムーズムに流れる事に成り、慶応大学のヨウ素とケイ素の混合合成の超電導配線より、電気の流れがよく成る事に成り、しからば、慶応大学のケイ素とヨウ素の超電導配線に、軽水素トリチウム電子のみを、入れると高出力銅筒官コイル配線と同じ電気スピードで、電気が流れる理由として、電子を通じて電気が流れる為、超電導配線物質が、何を使っても、軽水素トリチウム電子を、混合合成したり、内蔵する事で、超電導配線全ての電気の流れが同じく出来るのが、軽水素トリチウム電子の内蔵混合合成の効果に成る。
製造方法説明
従って、DCブラシレスモーターを、高出力DCブラシレスモーターに変える為、通常のコイル配線と異なる軽水素トリチウム電子入り圧電素子磁石体粒子内蔵の銅筒官コイル配線は、低温で、圧電素子磁石体軽水素トリチウム電子を、混合合成する技術として、雲母微粒子とチタン酸バリューム溶液に、軽水素トリチウム電子を、混合合成した軽水素トリチウム電子入りの圧電素子磁石体の電気配線を作り、銅筒官配線に、軽水素トリチウム電子入りの圧電素子磁石体粒子を、入れる技術に成るが、超微粒子の軽水素トリチウム電子入り圧電素子磁石体マイクロ微粒子を、直接機械等を、使って銅筒官に入れる手段が有る。
第2の製造方法
次に、銅筒官配線を、平板状にした場所に軽水素トリチウム電子入り圧電素子磁石体電気配線を、置いて巻き込みロールした銅筒官配線に、銅溶解液または銅鉛液で、溶着した銅筒官コイル配線
第3の製造方法説明
銅筒官コイル配線の繋ぎコイル配線溶着方法として、短めの銅筒官コイル配線に軽水素トリチウム電子入り圧電素子磁石体粒子配線を内蔵して、再び銅筒官コイル官を、繋ぎ、再び銅筒官コイル配線に軽水素トリチウム電子入り圧電素子磁石体電気配線を、銅筒官配線に内蔵して、再び、銅筒官コイル配線を、繋げる方法で有り、繋ぎ目は、鉛と銅の合金溶着と銅筒官圧縮によって、銅筒官コイル配線を、作り上げる方法手段に成る。
高出力圧電素子磁石体の製造方法
従って、高出力圧電素子磁石体は、軽水素トリチウム電子をチタン酸バリウムと雲母微粒子と混合合成して、高圧縮して固めた圧電素子磁石体の製造方法は、軽水素トリチウム電子を入れる手順を足した圧電素子磁石体のシートパネル製造方法に成る。
更に、チタン酸パリーム溶液に、軽水素トリチウム電子を、混合合成して、固めたシートパネルは、大きく広い枡に、軽水素トリチウム電子とチタン酸バリウム溶液を、混合撹拌合成して、シート状に固めたシートパネルを、使用する大きさに切って、高出力圧電素子磁石体シートと交互に貼り合わせて、圧電素子磁石体の軽水素トリチウム電子溶液の接着用液で、貼り合わせたりする製造方法とまだ、固まらな内に高出力圧電素子磁石体シートパネルを、貼り合わせて高圧縮して、固める方法によって、高出力圧電素子磁石体を作り、超薄型の複数針穴形状のステンレス磁石板を、機械で折り込む用に高出力圧電磁石体を、全自動機械で作る事に成る。
最後に、高出力銅筒官コイル配線を、機械で巻いて高出力電磁石パネルと高出力圧電素子磁石体パネルが出来上がり、予め用意して有る、絶縁アルミニューム金属枠または絶縁竹材灰入りグラスファイバー枠に、高出力圧電素子磁石体と高出力電磁石体を、はめ込んで完成するモーターに成る。
【００２２】
また、第6の課題の解決手段説明。
従って、第6の課題解決手段として、特許請求項5の、高出力ＤＣブラシレスレールインバータ制御モーターの永久合成磁石体の特徴は、軽量構造の永久磁石体に成り、軽水素トリチウム電子入り圧電素子磁石体を、超薄型の複数針穴構造のステンレス磁石シートで、軽水素トリチウム電子入りの圧電素子磁石体を、超薄ステンレスシートで、囲む用に被せて、圧縮した永久磁石体に成り、軽水素トリチウム電子入りの圧電素子磁石体の高出力圧電素子磁石体を、使う場合、軽水素トリチウム電子入り圧電素子磁石体と軽水素トリチウム電子入りチタン酸バリウムシートを、交互に貼り合わせた高出力圧電素子磁石体に、複数針穴空きステンレス超薄板シートを、包み込む用に被せて高圧縮した人工合成の永久磁石を、使用した高出力ＤＣブラシレスレールインバータ制御モーターは、モーターカバー内で、磁界線が、人工合成永久磁石の複数針穴にモーター磁界線がは入り込むのを、期待した人工合成永久磁石で有り、特徴として、多くの軽水素トリチウム電子が、人工合成永久磁石内に、シート状に超圧縮圧電素子磁石体合成した永久磁石と複数の針穴形状の、超薄板シートのステンレス磁石板を使用した、超高圧縮した人工合成永久磁石体に成る。
この他の、技術として、モーターカバーを、外側を、アルミニュームカバーにして、軽水素トリチウム電子入り圧電素子磁石体と軽水素トリチウム電子入りチタン酸バリウムシートを、交互に貼り合わせた高出力磁石体を、アルミニュームカバーに内蔵して、複数針穴形状のアルミニューム絶縁体カバーを、掛けた、高出力電磁誘導発電モーターカバー付きの高出力内コイル型モーターなどが有る。
【００２３】
また、第7の課題の解決手段説明。
従って、第7の課題解決手段として、特許請求項6の、高出力ＤＣブラシレスレールインバータ制御モーターの高出力銅筒官コイル配線は、雲母粒子とチタン酸とバリウムと軽水素トリチウム電子を、混合合成した電気配線を、銅筒官コイル配線の空洞に入れたモーターコイル配線に成り、高出力銅筒官コイル配線は、略名で、高出力コイル配線とも言う。
【００２４】
また、第8の課題解決手段説明。
従って、第8の課題解決手段として、特許請求項7の、高出力ＤＣブラシレスレールインバータ制御モーターの電気消費を、更に少なくする為の装置として、高出力ＤＣブラシレスレールインバータ制御モーターの略名高出力レールモーターの、モーター配線は、高出力銅筒官電気配線に成り、高出力レールモーターの場合、16個以上の人工合成永久磁石と16個以上の高出力電磁石と高出力銅筒官コイル配線と32個以上の木材灰入りグラスファイバー絶縁体を、組み合わせた高出力レールモーターは、16個以上のインバータ制御装置によって、高出力電磁石の磁極切換えを連続して行っている場所に成り、電気消費が一番消費する高出力銅筒官コイル配線と高出力銅筒官電気配線部分に成り、銅筒官電気配線部分に、更に、電気消費を少なくする電気中の熱抵抗電気のみを、取り除く圧電素子4電子磁気分割装置によって取り除く装置に成る。
圧電素子4電子磁気分割装置の説明。
従って、圧電素子4電子磁気分割装置は、プラスモーター配線に取り付ける16個以上のプラス圧電素子4電子磁気分割装置とマイナスモーター配線に取り付ける16個以上のマイナス圧電素子4電子磁気分割装置それぞれを、16ずつ必要とする。
プラス圧電素子4電子磁気分割装置の構造説明。
従って、プラス圧電素子4電子磁気分割装置は、圧電素子磁石体のプラス磁気の一番強い部分に、超小型銅薄板高出力銅筒官配線を取り付けた電気抵抗無のプラス電気取り込み配線を取り付け、プラス圧電素子磁石体の磁気の一番プラス磁気の弱い部分の表面内部と裏面内部に、超小型薄板の銅板の高出力銅筒官配線を二本取り付け、一本目は、通常のプラス電気取り込み口に成り、もう一本のプラス銅筒官電気配線は、リサイクル電気配線に成る。
通常プラス電気は、プラス圧電素子磁石体の磁気の弱いプラス磁気部分に取り付けたプラス磁気配線を通って、圧電素子磁石体のプラス磁気化と成り、通常プラス電気は、瞬時にプラス磁気電子になり、強いプラス磁気と弱いプラス磁気に別れる。
次に、プラス熱抵抗電気は、プラス圧電素子磁石体部分に集まり、プラス熱抵抗電気の無いプラス電気は、プラス圧電素子磁石体の磁気の一番強い部分から、高出力銅筒官配線によって、モーターのプラス電気として使用される。
残された、プラス圧電素子磁石体の磁気の一番弱い部分に集まっているプラス熱抵抗電気は、プラスリサイクル高出力銅筒官配線を通じて、もうとつのリサイクル電気処理回路の圧電素子4電子磁気分割装置にもう一度リサイクル電気処理されるシステムで有り、軽水素トリチウム電子入り圧電素子磁石体粒子内蔵シリコン熱瞬間吸収発電装置ともう一つの圧電素子4電子磁気分割装置で熱電気再処理出来るシステムに成る。
通常マイナス電気は、マイナス圧電素子磁石体の磁気の一番弱い部分に取りつけたマイナス磁気配線を通って、圧電素子磁石体のマイナス磁気化と成り、通常マイナス電気は、瞬時に、マイナス磁気電子に成り、強いマイナス磁気と弱いマイナス磁気に別れる。
次に、マイナス熱抵抗電気は、マイナス圧電素子磁石体部分に集まり、マイナス熱抵抗電気は、マイナスリサイクル高出力銅筒官配線を通じて、もう一つのリサイクル電気処理回路の圧電素子4電子磁気分割装置にもう一度リサイクル電気処理されるシステムで有り、軽水素トリチウム電子入り圧電素子磁石体粒子内蔵シリコン熱瞬間吸収発電装置ともう一つの圧電素子4電子磁気分割装置で熱電気再処理出来るシステムに成る。
製造方法説明
圧電素子4電子磁気分割装置は、通常圧電素子磁石体の製造過程中に高出力銅筒官配線と超薄銅板銅筒官配線または、超薄型複数針穴形状の銅板銅筒官配線を、組み込んで圧電素子磁石体を作り上げる方法に成り、最後に竹灰入りプラスチック絶縁体カバーを、全自動機械で取り付けて完成に成る。
但し、形状確認及び認識及び認知全自動作動のカメラの被写体形状認識全自動作動カメラの被写体認識信号によって、組立機械ロボットが全自動作動する構造に成って入る。
【００２５】
また、第9の課題解決手段説明。
従って、第9の課題解決手段として、特許請求項8の、高出力ＤＣブラシレスレールインバータ制御モーターの高出力発電回路は、高出力プラス発電回路と高出力マイナス発電回路の二つが必要に成る理由として、通常プラス電気は、高出力プラス発電回路の高出力圧電素子磁石体の、プラス圧電素子磁石体の磁気の一番プラス磁気の強い部分から圧電素子磁石体の磁気の一番弱い部分に内蔵設置されている超小型銅板銅筒官電気配線に向かって、高圧のプラス電気を流す事で、高出力圧電素子磁石体の高出力圧電効果によって、通常プラス電気は、増幅プラス電気を、高出力プラス発電回路のプラス磁気の弱い部分から、強いプラス電気を、取り出す事が出来るので有るが、高出力プラス発電回路は、軽水素トリチウム電子入り圧電素子磁石体と軽水素トリチウム電子入りチタン酸バリウムシートパネルを、交互に貼り合わせた軽水素トリチウム電子が、圧電素子磁石体内に多く入れた高出力圧電素子磁石体に成る。
その為、高出力マイナス発電回路の高出力圧電素子磁石体のマイナス圧電素子磁石体の磁気の一番マイナス磁気の強い部分から圧電素子磁石体の磁気の一番弱い部分に内蔵設置されている超小型銅板銅筒官電気配線に向かって、高圧のマイナス電気を流す事でね高出力圧電素子磁石体の高出力圧電効果によって、通常マイナス電気は、増幅マイナス電気を、高出力マイナス発電回路のマイナス磁気の弱い部分から、強いマイナス電気を取り出す事が出来るので有るが、高出力マイナス発電回路は、軽水素トリチウム電子入り圧電素子磁石体と軽水素トリチウム電子入りチタン酸バリウムシートパネルを、交互に貼り合わせた軽水素トリチウム電子が、圧電素子磁石体内に多く入れた高出力圧電素子磁石体に成る。
【００２６】
また、第10の課題解決手段説明。
従って、第10の課題解決手段として、特許請求項9の、高出力ＤＣブラシレスレールインバータ制御モーターの高出力銅筒官配線の銅筒官剥き出し配線を、保護するビニール合成ゴムの保護体は、燃えずらい構造にする為に、木材灰とビニール溶液とゴム溶液を、混合合成する事で、少しでも燃えずらいビニールゴムの配線保護の表皮を銅筒官コイル配線に被せたモーター電気配線になり、通常の電気配線より、軽い電気配線に成る。
【００２７】
また、第11の課題解決手段説明。
従って、第11の課題解決手段として、特許請求項10の、超軽量高出力発電人工衛星に積載内臓するカメラの、熱感知放射線サモーカメラの、放射線装置を、誰でも使えて安全なカメラにする為に、サモーカメラが、カメラのシャッターの一回分に必要とする超微量の、放射線を、安全に何度でも使用可能にする為の装置として開発した技術として、超透明プラスチック溶液に、一回分のカメラシャッタを、切る時使われる放射線量を、超透明プラスチック溶液と混合合成して、シート状に固めて、透明プラスチックシートで、放射線入りシートの両面を、保護透明プラスチックシートによって、固定放射線を、更に密封して閉じ込める構造にして、どんなカメラでも使用出来るクリスタルガラス筒の中に、放射線シートを内蔵して、三重に、超微量放射線を保護した、放射線カメラのサモーカメラとレントゲンカメラとスキャンカメラの放射線パネルの構造説明に成り、モーターによって、回転移動して通常カメラと紫外線カメラとレントゲンカメラとサモーカメラとスキャンカメラのモーター放射線パネル切換えを可能にした装置に成り、他社に無い技術に成り、公表されて無い技術に成る。
方射線パネルの製造方法従って、放射線パネルの製造方法は、まず最初に、カメラ使用の一回で使用する放射線量を、透明液体プラスチック等に混合合成したシートパネルに、透明プラスチックシートを、重ねる事で、放射線の大気放出を、避ける製造方法に成り、最後に3重の透明プラスチックカバーを、掛けた放射線パネルを、二枚のクリスタルガラス内に内蔵して、クリスタルガラス接合して、完成に成る全自動機械システムで作る事に成るが、全ての放射線量が、一度に扱える放射線量の国会決議が必要に成る。
次に、放射線パネルの製造許可が、国会決議として必要に成る。
そして、放射線パネルの回収義務の国会決議が必要に成る。
この他、放射線パネルの売買禁止の国会決議が必要に成る。
その他、放射線パネルの使用目的と再処理を、明記して、国の製品番号登録と所有者の住所と氏名と血液型と家族構成の登録が、必要に成り、国が放射線パネルの量を、把握して、増えすぎない用に管理しなければ成らない法律を、国会決議しなければ成らない。
この他、海外輸出する放射線パネルの量と海外に輸出された放射線パネルの量を、把握して放射線パネルを、輸入した国の放射線パネルの使用と管理が、適切に行われている
かの外務省と経済産業省の将来的に設ける課として、放射線パネル課の放射線パネルの全世界の管理状況データー収集を、24時間インターネット管理しなければ成らない。
そして、日本の弱者国民一人一人の財団と国が、放射線パネルの設置台数の把握と設置台数の数の取り決めは、火事によっての放射線パネルの破損に拠る大気放出の放射線量に成り、敷地面積に何台設置出来るかの放射線パネルの設置基準を、法律で決めなければ成らない。
更に、青森県の、放射線廃棄物から、放射線を、回収する場合、原子力発電所で、得た日本国内の利益の全ての使い道のお金の全ての公開義務の法律で決める事によって、本来、企業で、放射線処理しなければ成らない放射線廃棄物をの放射線を、代わりに処理する為、追加国税を、企業側が、支払を無ければ成らない義務を、国会決議で、明白にして、企業側の放射線廃棄物の処理義務を、明白にする法律を、決めなければ成らない。
この他、日本企業の海外原子力売電で、残した放射線廃棄物の量と処理を、国民に公開する義務の法律を、国会決議しなければ成らないのは、外交関係上、放射線廃棄物の処理責任が、日本の外資系企業に全く無いとは言えない為、日本の海外外資系企業が得た、原子力売電の総資産の公開義務と放射線廃棄物の処理義務の事実公開を、国会で決めるなどを、行う必要が有るのは、日本の外資系企業の原子力売電利益公開は、新聞とテレビでは、絶対行われた事が無いからで有る。
以上の事柄が、国会決議後、平和と安全に、放射線パネルが、世界各国で使われると考えて止まない。
【００２８】
また、第12の課題解決手段説明。
従って、第12の課題解決手段として、特許請求項11の、超軽量高出力発電人工衛星に積載内臓するレントゲンスコープカメラと熱感知サモーカメラの切換えが、カメラボタン一つで、切り替える事の出来る放射線を透明プラスチック溶液に、一回のレントゲンカメラが、使用する放射線量を、透明プラスチック溶液に混合合成した溶液を、シート状にして、弱冠の放射線漏れを、更に防ぐ為に、放射線入りシートの表裏両面に、超薄型の透明プラスチックシートを貼り付けた放射線漏れの無いプラスチックシートを、更に筒状のクリスタルガラス筒に透明の放射線漏れの無いプラスチックシートを、筒状のクリスタルガラス筒のカメラレンズのＣＣＤの被写体認識パネルの前にモーター回転放射線内蔵パネルとして、内蔵するレントゲンスコープカメラと熱感知サモーカメラの放射線内蔵のカメラの被写体パネル装置に成る。
此の場合、放射線入りパネルの熱感知サモーカメラと放射線入りパネルのレントゲンスコープカメラと通常カメラ切換えでは、課題解決手段の第11までに説明した超小型の高出力ＤＣブラシレスレールインバータ制御モーターを、積載内臓した超軽量高出力発電人工衛星に成る。
この他、レントゲンスコープカメラと熱感知サモーカメラの切換えは、ＣＣＤ被写体パネル認識回路を、軽水素トリチウム電子入りダイオード回路の14色の識別装置と7色の識別装置と原色全ての識別出来て区分け出来る熱感知サモーカメラの軽水素トリチウム電子入りダイオードセンサーに成る。
更に、熱感知サモーカメラのカラー色区別画像と白黒カメラとして、見分ける事の出来るＣＣＤの白黒識別回路によって、熱感知サモーカメラとレントゲンスコープカメラの区別を、異なった別々のカメラ回路によって、区分け出来る構造に成って入る。
【００２９】
また、第13の課題解決手段説明。
従って、第13の課題解決手段として、特許請求12の、超軽量高出力発電人工衛星にレントゲンスコープカメラと熱感知サモーカメラと通常カメラの切換えスイッチは、スプリング電気回路スイッチ接触型の通常スイッチは、スイッチ部分が、木材灰入りプラスチック材で、構成されているが、地上からの電波送受信切換え軽水素トリチウム電子入りダイオードスイッチによって、カメラ切換えを、高出力ＤＣブラシレスレールインバータ制御モーターによって省エネルギーカメラ切換え作動を、可能にしている。
【００３０】
また、第14の課題解決手段として、特許請求項13の、超軽量高出力発電人工衛星に積載するカメラを、ライト装置に出来る装置で有り、放射線内蔵カメラパネルと放射線内蔵パネルの大きさのパネルに、高出力発光ダイオードライト玉を、放射線内蔵パネルの同じ大きさのパネルに複数の発光ダイオードライト玉を積載内臓した複数カメラ切換え装置のライト切換え装置に成る。
従って、高出力発光ダイオード玉の、ダイオード部分に、軽水素トリチウム電子を、混合合成したダイオードにする事で、ダイオード内の電子量を、多くする事によって、発光量を多くしている新技術に成る。
この他、高出力発電回路を取り付ける事で、高出力発光ダイオード玉の、電気消費を少なくしている。
【００３１】
また、第15の課題解決手段として、特許請求項14の、超軽量高出力発電人工衛星に積載するＧＰＳ衛星送受信装置に積載する高出力銅筒官コイル配線と高出力コイルと高出力電磁石と高出力銅筒官電気配線と木材灰入り亜麻布コンデンサーと木材灰入りエボナイト粒子絶縁体と圧電素子磁石体粒子合成プラスチックアンテナを、構造の部品としたＧＰＳ衛生送受信装置の、それぞれの新技術部品装置の構造説明で有る。
まず、初めに、高出力銅筒官配線は、銅線を、筒状にしたコイル配線の中に軽水素トリチウム電子と圧電素子磁石粒子を、混合合成して固めた配線を、銅筒官コイルの空洞に、入れた電気の通り易い物質で、作った銅筒官コイル配線は、電気を妨げる物質が、軽水素トリチウム電子によって、電気が電子状態で通る為、電気が一番通り易い電気コイル配線に成り、銅筒官コイル配線を、高出力銅筒官コイル配線と言う。
この他、高出力コイルは、高出力銅筒官コイル配線を、コイル形状にキチンとコイル棒に巻いた装置の事を言う。
更に、高出力電磁石構造は、軽水素トリチウム電子入り圧電素子磁石体超薄シートパネルを数枚と軽水素トリチウム電子入りチタン酸バリウムシートパネル数枚を、交互に重ねた軽水素トリチウム電子の多く入った圧電素子磁石体の事を、高出力圧電素子磁石体に成り、高出力圧電素子磁石体を、複数針穴構造の超薄ステンレス永久磁石板を、高出力圧電素子磁石体に、複数針穴形状の超薄ステンレス磁石板を被せる事によって、高出力圧電素子磁石板のモーターコイル板の破損滑落防止に成り、高出力銅筒官コイルを、高出力圧電素子を、複数針穴超薄ステンレス永久磁石板に巻いた永久磁石を、高出力人工合成永久磁石と言い高出力人工合成永久磁石に、高出力銅筒官コイルを巻いたのが、高出力電磁石と言う。
その他、高出力銅筒官て電気配線は、木材灰及び竹材灰及び雑草灰を、プラスチックゴム又は、再生ゴムと再生プラスチック溶液に混合合成した電気配線表皮を、高出力銅筒官コイル配線に被せた電気配線に成る。
そして、木材灰入り、アマ布は、亜麻糸に木材灰とゴムを、混合合成した溶液を亜麻布を、木材灰入りゴム溶液を、被せたシートを、コンデンサー銅筒官コイルの表面を、木材灰入りゴム溶液の亜麻布シートで、被せた高出力銅筒官コイル使用のコンデンサーで有る。
この他、木材灰入りエボナイト素子絶縁体は、エボナイト素子溶液に、木材灰を入れて混合合成して固めて、電気配線を取り付けただけの絶縁体で有る。
最後に、圧電素子磁石体粒子合成プラスチックアンテナは、圧電素子磁石体粒子溶液とプラスチック溶液を、混合合成して固めた圧電素子磁石体粒子入りプラスチックアンテナに成る。
これら、高出力銅筒官コイル配線と高出力コイルと高出力電磁石と高出力銅筒官電気配線と木材灰入り亜麻布コンデンサーと木材灰入りエボナイト粒子絶縁体と圧電素子磁石体粒子合成プラスチックアンテナ等の部品を、組み合わせた超軽量高出力人工衛星に積載するＧＰＳ部品の一部に成る。
【００３２】
また、第16の課題解決手段として、特許請求項15の、超軽量高出力発電人工衛生に積載するＧＰＳ衛星送受信装置に積載内臓するＣＰＵは、エボナイト素子と軽水素トリチウム電子入り圧電素子磁石体粒子シートパネルコンデンサーは、高出力銅筒官コイルを、コンデンサーに巻いた装置に、エボナイト素子溶液に、圧電素子磁石体粒子と軽水素トリチウム電子とシリコンを、混合合成したシートと絶縁体シートを、交互に貼り合わせたシートを、ＣＰＵに貼る技術で有る。
この他、軽水素トリチウム電子入り圧電素子磁石体シリコン糸とエボナイト粒子溶液と木材灰入り糸を、交互に貼り合わせたシートに絶縁シートを貼り付けたＣＰＵ熱発電シート構造に成る。
【００３３】
また、第17の課題解決手段として、特許請求項16の、超軽量高出力発電人工衛星に積載するＧＰＳ衛生送受信装置に積載する超小型圧電素子4電子磁気分割装置は、ＣＰＵに積載内蔵する事によって、ＣＰＵの消費電気量を抑える事の出来る装置で有る。
従って、超小型圧電素子4電子磁気分割装置は、超小型圧電素子磁石体に於いて、超小型圧電素子4電子磁気分割プラス装置と超小型圧電素子4電子磁気分割マイナス装置の二つが必要に成る。
その為、超小型圧電素子4電子磁気分割プラス装置は、超小型圧電素子磁石体の、プラス磁気の一番弱い部分の裏と表に一本づつの通常プラス電気取り込み銅筒官配線と通常プラス抵抗電気の取り込みリサイクルプラス配線と通常プラス電気を、圧電素子プラス磁気に瞬間に変えて、プラス磁気の一番強いプラス磁気電気のみを取り込む銅筒官配線と超小型圧電素子4電子磁気分割マイナス装置は、超小型圧電素子磁石体の、マイナス磁気の一番弱い部分の裏と表に一本づつの通常マイナス電気取り込み銅筒官配線と通常マイナス抵抗電気の取り込みリサイクルマイナス配線と通常マイナス電気を、圧電素子マイナス磁気に瞬間に変えて、マイナス磁気の一番強いマイナス磁気の電気のみを取り込む銅筒官配線構造に成る。
これら、構造の超小型圧電素子4電子磁気分割プラス装置の一番弱い部分に、通常プラス電気取り込み配線に通常プラス電気を、流す事で、通常プラス電気は、圧電素子プラス磁気と融合して、プラス圧電素子磁界線に従って、電気の圧電素子磁石体磁気電子変化して、プラス磁気電子の一番強い電気は、圧電素子磁石体のプラス磁気の一番強い部分に取り付けた高出力銅筒官プラス配線部分から、通常プラス電気中の熱抵抗電気を取り除く事を可能にした超小型圧電素子4電子磁気分割プラス装置で有る。
そして、構造の超小型圧電素子4電子磁気分割マイナス装置の一番弱い部分に、通常マイナス電気取り込み配線に通常マイナス電気を、流す事で、通常マイナス電気は、圧電素子マイナス磁気と融合して、マイナス圧電素子磁界線に従って、電気の圧電素子磁石体磁気電子変化して、マイナス磁気電子の一番強い電気は、圧電素子磁石体のマイナス磁気の一番強い部分に取り付けた高出力銅筒官マイナス配線部分から、通常マイナス電気中の熱抵抗電気を取り除く事を可能にした超小型圧電素子4電子磁気分割マイナス装置で有る。
【００３４】
また、第18の課題解決手段として、特許請求項17の、超軽量高出力発電人工衛星に積載するＧＰＳ衛星送受信装置に積載するＣＰＵのヒートスプレッダーは、軽水素トリチウム電子入りの圧電素子磁石体粒子内蔵シリコン熱瞬間吸収発電シートパネルに、新技術のフロンガス内蔵の炭素ビニールシートパネルを、固形窒素パネルに被せた冷却シートパネル二枚の間に、軽水素トリチウム電子入り圧電素子磁石体粒子内蔵シリコン熱瞬間吸収発電シートパネルを、内蔵したＣＰＵのヒートスプレッダーシートパネルで有る。
従って、ＣＰＵのヒートスプレッダーの電気熱感知発電シートパネルの発電量によって、循環油送流冷却装置と循環空気送風装置の全自動冷却装置の高出力モーター送風冷却装置のスイッチを、全自動で作動出来る構造に成っている。
此の場合、植物油を使用する事で、動物油等の油の固形状態を避けている。
【００３５】
また、第19の課題解決手段として、特許請求項18の、超軽量高出力発電人工衛星に積載するＧＰＳ衛星送受信装置に積載するＣＰＵのキャッシュメモリー装置は、他社の通常磁気を使用しないで、圧電素子磁石体磁気粒子構造の、超微細の雲母微細粒子に、チタン酸バリウムを、混合合成して、超微細粒子の圧電素子磁石体の磁気粒子構造にした物質を、キャッシュメモリーの磁気書き込みシート構造としているのが他社と異なるＣＰＵのキャッシュメモリー装置構造に成り、プラスチック絶縁ビニールシートとシートの間に複数の線状に圧電素子磁石体線状磁気書き込み読み込みラインとプラスチックビニール絶縁体を、交互に並べた超微粒子の圧電素子磁石体を使用積載したＣＰＵのキャッシュメモリー装置は、絶縁体シートを使用する事によって、複数重ねを、する事で、因り多くの情報を、超微粒子圧電素子磁石体粒子に内蔵積載する事で、可能にした為、複数の情報を、シートカード重ねする事によって、超小型の情報入力と読み込みを可能にしている。
従って、情報を、入力及び読み込みをする圧電素子磁石体シートパネルカード配線によって、超微粒子圧電素子磁石体の書き込み読み込みを可能にしたＣＰＵのキャッシュメモリー装置に成る。
【００３６】
また、第20の課題解決手段として、特許請求項19の、超軽量高出力発電人工衛星に積載するＧＰＳ衛星送受信装置に積載するフラッシュメモリーのＲＯＭの雑草灰入りのセメント製のパッケージに、軽水素トリチウム電子入りの、圧電素子磁石体粒子内蔵のシリコン瞬間熱発電シート超薄パネルを、雑草灰入りのセメント製のパッケージに、貼り付けた構造に成る。
従って、雑草灰入りのセメントと亜麻糸布に、雑草灰入りセメント溶液を、亜麻布シートに浸したシートパネル構造装置で有る。
更に、発電シートパネルは、軽水素トリチウム電子を、圧電素子磁石体とシリコン溶液に混合合成した熱瞬間吸収発電シートパネルは、シリコンシート内に軽水素トリチウム電子を、入れる事によって、シリコンシート内の熱の吸収率を、高める役目を行っているのが、軽水素トリチウム電子物質で有り、シリコンシート内の電子活動を、活発にする事で、シリコン電子の熱瞬間吸収率を上げる効果を、軽水素トリチウム電子が行っている。
そして、軽水素トリチウム電子入りシリコンは、瞬間熱吸収率は、良いが、熱を有効的に電気変換する物質が、圧電素子磁石体粒子を、シリコンシート内に混合合成する新技
術によって、熱を、熱磁気瞬間分割する事で、熱をより多く電気変換出来る事に成る。
この技術は、実用新案登録の水素と酸素の瞬間吸収発電装置に使用する複数針穴構造枡の圧電素子磁石体粒子を、応用内蔵した新技術に成り、軽水素トリチウム電子入りのシ
リコンシートパネル内に、圧電素子磁石体粒子を、内蔵する事で、熱電子から、熱磁気電子の瞬間の変化を、可能にする技術に成る。
以上の事によって、フラッシュメモリーＲＯＭ熱の瞬間吸収発電を、可能にしている新技術で有る。
【００３７】
また、第21の課題解決手段として、特許請求項20の、超軽量高出力発電人工衛星に積載する超望遠カメラは、熱感知サモーカメラとレントゲンスコープカメラと紫外線カメラとスキャンカメラと赤外線カメラと通常カメラを、高出力モーター全自動パネル切換えが出来る人工衛星内蔵カメラに成る。
従って、熱感知サモーカメラとレントゲンスコープカメラとスキャンカメラに、絶対必要視されるのが、一度のカメラ撮影に使用する放射線量を、透明液体プラスチックと混合合成したシートまたは、シリコン溶液等に混合合成した放射線入りの液体プラスチックを、シート状に固めて、放射線を、更に漏れない用にする対策として、透明プラスチックシートで、放射線入りプラスチックシートの両面を、貼り付け保護してから、クリスタルガラスの筒内部に放射線入りシートを、内蔵したカメラ用の大気中に放射線を漏らさない対策と何度手も、繰り返して使用出来る超微量放射線パネルを、人工衛星のカメラに積載する事で、軽量化を更に可能にした放射線内蔵シートパネル装置に成る。
更に、放射線内蔵クリスタルガラス筒パネルと赤外線パネルと紫外線パネルを、高出力モーターに取り付ける事で、6種類の超望遠カメラを、全自動で切換える事が出来る装置に成る。
【００３８】
また、第22の課題解決手段として、特許請求項21の超軽量高出力発電人工衛星に積載する高出力ソーラーパネルと高出力発電回路と新2連振子型機械式発電機の三種類の発電システムは、高出力ソーラーパネルは、通常シリコンソーラーパネルのシリコンに軽水素トリチウム電子と圧電素子磁石体粒子をシリコンに内蔵する為、通常ソーラーパネルの厚さより、薄くして、軽さを図るが、軽水素トリチウム電子と圧電素子磁石体を、シリコンに混合合成内蔵する事で、光吸収シリコン能力を、熱吸収能力を、軽水素トリチウム電子入りシリコンによって、電気熱等のあらゆる熱を、軽水素トリチウム電子入りシリコンが、熱吸収を増幅可能にした新技術に成り、軽水素トリチウム電子入りシリコンは、瞬間熱吸収した熱エネルギーを、全て電気に変える事が出来ない為、軽水素トリチウム電子入りシリコンに、圧電素子磁石体粒子は、炭素粒子とは、瞬間吸収した熱を唯熱を、多くシリコンが吸収するが、全て電気変換出来ない為、軽水素トリチウム電子入りシリコンに、炭素と異なる圧電素子磁石体粒子を入れる事で、軽水素トリチウム電子入りシリコンに、瞬間吸収した熱エネルギーを、瞬間磁気分割する事によって、軽水素トリチウム電子入りシリコンに瞬間吸収した熱エネルギーを、因り多く熱磁気分割電気変換出来る技術が、軽水素トリチウム電子入り圧電素子磁石体粒子内蔵シリコンソーラーパネルに成る。
【００３９】
また、第23の課題解決手段として、特許請求項22の超軽量高出力発電人工衛星に積載する新2連振子型機械式発電機のバッテリーは、軽水素トリチウム電子の気化物質溶液と電解金属として、ニッケル金属ブロックを、バッテリーの主な構造とした、充電スピードが、速い軽水素トリチウム電子を使用積載したバッテリーに成る。
此の場合、バッテリーケースは、通常は、プラスチックを使用しているが、軽水素トリチウム電子ニッケルバッテリーの場合は、グラスファイバーを使用したバッテリーカバー装置と軽水素トリチウム電子を、注入する弁を、設けたバッテリーに成る。
この他、軽水素トリチウム電子注入弁を、設けない場合は、ニッケル酸バリューム溶液に軽水素トリチウム電子を、混合合成した軽水素トリチウム電子溶液を、バッテリー内に内蔵するタイプが、考えられ、バッテリー内を、軽水素トリチウム電子気化物質とニッケルブロック内蔵の圧電素子磁石体粒子または圧電素子粒子溶液のバッテリーが、考えられ、効果として、充電した電気を、熱抵抗電気と熱抵抗の入って無い電気に瞬間に分ける事が可能に成り、ここでも、急速充電が、可能に成り、将来的には、バッテリー溶液を、軽水素トリチウム電子を、たっぷり入れた圧電素子磁石粒子とイオンニッケル溶液によっての、発電バッテリーとして、充電と発電が、一度に高出力発電回路を、使わないで充電と発電が、一度に出来るバッテリーの開発を、目指す事に成る。
従って、軽水素ニッケル以上の蓄電可能な物質として、リチウム金属以外の物質を、探す事に成り、レアーアース金属と軽水素を、使ったバッテリーなど、充電物質を、新たに探すのも課題に成る。
その為、レアーアースニッケル合金と軽水素トリチウム電子の合金または、ニッケル金属シートに複数穴空き構造としたニッケル金属超薄シートとニッケル酸パリーム超薄シートに軽水素トリチウム電子を多く入れたニッケル酸バリウムシートを、交互に貼り合わせる構造に対して、中央部に、軽水素トリチウム電子入り圧電素子磁石体粒子内蔵のシリコン超薄シートの熱瞬間吸収発電シートを、内蔵する事で、充電時の熱を、瞬間に電気変換出来る装置で有る。
以上の事柄によって、バッテリー充電時の無駄にする熱放電を、瞬間に電気に変える技術が、軽水素トリチウム電子入り圧電素子磁石体粒子内蔵シリコンシート膜装置によって、瞬間に充電時の無駄にする熱を、瞬時に電気変換出来る技術によって、世界最高速充電バッテリーを、最速充電を可能に出来る高速充電技術説明に成る。
【００４０】
また、第24の課題解決手段として、特許請求項23の超軽量高出力発電人工衛星に積載する循環発電充電型のバッテリーは、高出力発電回路の、プラス高出力発電回路とマイナス高出力発電回路の二つを、バッテリーに、複数接続設置する事によって、バッテリー内の充電した貯蓄電気のプラス通常電気を、高出力プラス発電回路に通常電気を、通して通常電気の電気圧力を、軽水素トリチウム電子入り高出力圧電素子磁石体素子体に通常プラス電気を、通す事によって、通常プラス電気圧力を、軽水素トリチウム電子の多く入った高出力圧電素子磁石体の構造として、軽水素トリチウム電子入り圧電素子磁石体の超薄シートと軽水素トリチウム電子入りのチタン酸バリウムシートの超薄シートを、交互に貼り合わせた高出力圧電素子磁石体のプラス磁気の一番強い部分から通常電気を流して、高出力圧電素子磁石体の磁気の一番弱いプラス磁気部分に取り付けたプラス発電回路の電気配線から、増幅プラス電気を、得る事が出来るが、圧電素子磁石体に内蔵する物質は、軽水素トリチウム電子以外の水素及び重水素は、プルトニューム原子等の常温変化無しの電気抵抗物質にしか成らない常温では、無意味のプルトニウム原子は、逆に邪魔に成る為、高出力発電回路の注入電子には、不向きに成る。
従って、マイナス高出力発電回路に於いても、マイナス高出力発電回路の、高出力圧電素子磁石体素子装置又は、高出力圧電素子磁石体シートパネルを使用する事に成り、通常マイナス電気を、高出力圧電素子磁石体のマイナス磁気の一番強い部分から、高出力圧電素子磁石体のマイナス磁気の一番弱い部分に通常マイナス電気を通す事で、通常マイナス電気打撃効果によって、通常マイナス電気は、圧電素子マイナス磁気電子と結合して、増幅マイナス電気を作る事が出来る装置に成る。
【００４１】
また、第25の課題解決手段として、特許請求項24の超軽量高出力発電人工衛星に積載するバッテリーの急速充電装置の、圧電素子4電子磁気分割装置は、圧電素子磁石体を、構造物質とした装置で有り、プラス圧電素子4電子磁気分割装置は、プラス電気の急速充電装置で有り、マイナス圧電素子4電子磁気分割装置は、マイナス電気の、急速充電装置で有り、プラス圧電素子4電子磁気分割装置の通常プラス電気取り込み口は、圧電素子4電子磁気分割装置のプラス磁気の一番弱い部分に、通常電気取り込み口の銅筒官配線の軽水素トリチウム電子入り、圧電素子磁石体粒子を、内蔵した銅線を、筒状にしたコイル配線の中央部分に軽水素トリチウム電子と圧電素子磁石体を、混合合成した物質を入れる事で、電気の通りの良い電気配線を、可能にしたコイル配線に木材灰物質を、プラスチックゴムに、混合合成した電気配線表皮を被せたプラス通常電気取り込み配線をプラス圧電素子磁石体の磁気の一番弱いプラス部分に通常電気取り込み口と反対側に、銅筒官コイル配線を、プラス電気の熱電気回収配線の、プラスリサイクル電気配線を取り付けた装置で有る。
更に、通常プラス電気中の熱電気と熱電気の入って無い電気を、瞬間に分ける為、プラス電気は、圧電素子プラス磁気の一番弱い部分から、圧電素子磁石体のプラス磁気の一番強い部分にプラス電気を、流す事で、プラス電気は、瞬間に圧電素子プラス磁気化と成り、プラス電気抵抗の強い電気は、プラス圧電素子磁石体の磁気の一番弱い部分に取り付けられているリサイクルプラス配線から、熱抵抗プラス電気を、取り出して、固形窒素内蔵プラスチックゴム表皮電気配線と圧電素子4電子磁気分割装置にフロンガスを、ビニール溶液に混合合成した冷却シートに固形窒素を、混合合成したビニールシートを、固形フロン内蔵ビニールシートの両面に貼り付けた構造の冷却シートを、圧電素子4電子磁気分割装置に貼り付け、熱抵抗電気を、冷やす構造とした装置。
そして、通常プラス電気は、プラス圧電素子磁石体の一番プラス磁気の弱い部分から、プラス圧電素子磁石体部分の圧電素子磁石体のプラス磁気の強い部分に流れ、プラス電気抵抗の取り除かれた電気が、プラス圧電素子4電子磁気分割装置の一番強い部分に取り付けられている銅筒官配線から、電気抵抗の取り除かれたプラス電気を、得る事が可能に成る。
従って、マイナス圧電素子4電子磁気分割装置に通常マイナス電気を、マイナス圧電素子4電子磁気分割装置のマイナス磁気の一番弱い部分から、マイナス磁気の一番強い部分に電気が流れ、マイナス磁気抵抗電気は、リサイクルマイナス電気配線に流れるマイナス圧電素子4電子磁気分割配線構造に成ってる。
これら、二つのプラスとマイナスの圧電素子4電子磁気分割装置を、急速充電装置として、超軽量高出力発電人工衛星に積載するバッテリーに取り付ける急速充電装置の説明に成る。
【００４２】
また、第26の課題解決手段として、特許請求項25の超軽量高出力発電人工衛星に積載する新2連振子型機械式発電機に積載する高出力ダイナモ装置は、通常ダイナモ装置装置の中央部分を、刳り貫いた場所に、高出力圧電素子磁石体装置の軽水素トリチウム電子入りの圧電素子磁石体シートパネルと軽水素トリチウム電子入りの、チタン酸バリウムシートを交互に貼り合わせた高出力圧電素子磁石体を、通常ダイナモの中央部分を、刳り貫いた場所に、高出力圧電素子磁石体を、はめ込んで、超薄のステンレス板を、高出力圧電素子磁石体の滑落防止装置として、高出力圧電素子滑落防止カバーとして、ポルトナット止めした高出力ダイナモ装置で有る。
従って、高出力ダイナモ装置は、通常ダイナモの発電電気打撃発電を、軽水素トリチウム電子入り圧電素子磁石体が、ダイナモ電気打撃を、高出力圧電素子磁石体が、通常ダイナモ電気打撃発電を受けて、増幅発電する高出力ダイナモ装置に成る。
【００４３】
また、第27の課題解決手段として、特許請求項26の超軽量高出力発電人工衛星に積載する新2連振子型機械式発電機に積載する高出力マグネトロン装置は、軽水素トリチウム電子入り圧電素子磁石体シートパネルと軽水素トリチウム電子入りチタン酸バリウムシートを、交互に貼り合わせた高出力圧電素子磁石体を、マグネトロン形状にしたのが、高出力マグネトロン装置で有り、新2連振子型機械式発電機の電気電子増幅装置に使用積載される装置で有る。
【００４４】
また、第28の課題解決手段として、特許請求項27の超軽量高出力発電人工衛星に積載する新2連振子型機械式発電機に積載するコイルは、銅線コイルを、筒状にした銅筒官に軽水素トリチウム電子と圧電素子磁石体粒子を、混合合成した電気の通り易い物質で、作った電気配線物質を、銅筒官コイル形状に内蔵したコイル配線を、コイルに巻いた電気スピードの上がるコイル配線に成り、新2連振子型機械式発電機に積載する電気電子増幅変換装置に使用する高出力コイルが、軽水素トリチウム電子と圧電素子磁石体粒子内蔵の銅筒官コイル説明に成る。
【００４５】
また、第29の課題解決手段として、特許請求項28の超軽量高出力発電人工衛星に積載する新2連振子型機械式発電機に積載するコンデンサーは、エボナイト粒子と磁気粒子とシ
リコン粒子を、銅筒官形状のコイル配線官の銅筒官に内蔵した、コンデンサーコイル専用の、コイル配線に成る。
更に、軽水素トリチウム電子と圧電素子磁石体粒子とシリコン溶液を、混合合成したシートを、コンデンサーコイルの上に被せる事によって、コンデンサーコイル配線の熱発
電とコンデンサーが、発散する熱エネルギーを、瞬間に熱磁気電気に変える事の出来る瞬間熱吸収発電装置を、コンデンサーに積載内臓した高出力コンデンサー説明に成り、
通常より、少ない電気エネルギーで、コンデンサーとしての増幅高圧電気を得る事が出来る装置。
【００４６】
また、第30の課題解決手段として、特許請求項29の超軽量高出力発電人工衛星に積載する新2連振子型機械式発電機に積載するコンデサーコイル配線は、銅線コイル配線の中にエボナイト粒子と圧電素子磁石体粒子にシリコンシートで包んだ電気配線を、銅筒官コイル配線に内蔵したタイプのコンデンサーコイル配線とエボナイト粒子と圧電素子磁石体粒子と軽水素トリチウム電子と窒素粒子とシリコン溶液を、混合合成したコンデサーコイル配線を、コイル軸に巻いたコンデンサー専用のコイル配線に成る。
【００４７】
また、第31の課題解決手段として、特許請求項30の超軽量高出力発電人工衛星に積載する新2連振子型機械式発電機に積載する絶縁体素子配線は、竹材の灰とガラス溶液または、燃えるゴミの灰を、混合合成した絶縁体に、銅筒官配線を取りつけた絶縁体素子配線説明に成る。
【００４８】
また、第32の課題解決手段として、特許請求項31の超軽量高出力発電人工衛星に積載するインバータ制御モーターのインバータ制御装置に積載内臓使用する銅筒官配線は、インバータ制御スピードを、速くする効果が有る電気の通りを、良くした電気配線を、積載内臓したインバータ制御装置に成る。
【００４９】
また、第33の課題解決手段として、特許請求項32の超軽量高出力発電人工衛星に積載する新2連振子型機械式発電機に積載する本体ボデイパネルは、グラスファイバー網パネルに、固定金具を、取り付けた網に、竹灰と発砲スチロールと樹脂を、混合合成した溶液を、グラスファイバー網に吹き付け加工した軽量板を、新2連振子型機械式発電機を、パネルとして積載する事によって、新2連機械式発電機に積載する事によって、超軽量の新2連振子型機械式発電機の本体パネル構造説明に成る。
【００５０】
また、第34の課題解決手段として、特許請求項33の超軽量高出力発電人工衛星に積載する新2連振子型機械式発電機に積載する歯車構造は、アルミニューム材の一ミリメートル素材に、木材灰と発砲スチロール材を、混合合成した超薄シートを、交互に貼り合わせて、複数穴空き構造の歯車を新2連振子型機械式発電機に積載する事によって、超軽量の発電機に近ずける為の説明に成る。
【００５１】
また、第35の課題解決手段として、特許請求項34の超軽量高出力発電人工衛星に積載する新2連振子型機械式発電機に積載する超軽量歯車は、複数針穴構造のグラスファイバーシートを、貼り付ける事によって、超軽量歯車構造とした装置を、新2連振子型機械式発電機に積載する事によって、超軽量発電機を可能にする説明に成る。
また、第36の課題解決手段として、特許請求項35の超軽量高出力発電人工衛星に積載する新2連振子型機械式発電機に積載する歯車軸は、ステンレス筒にグラスファイバー溶液または、プラスチック溶液に、木材灰を入れた部材を、ステンレス管に入れた超軽量歯車軸によって、新2連振子型機械式発電機に積載する事で超軽量発電機を可能にしている。
【００５２】
また、第36の課題解決手段として、特許請求項36の超軽量高出力発電人工衛星に積載する新2連振子型機械式発電機に積載する大型ゼンマイ板に超細ワイヤを、大型ゼンマイ板に二列状態に超細ワイヤを内蔵積載した、大型ゼンマイ板装置にする事で、新2連振子型機械式発電機にする事で、ゼンマイ板の劣化による切断防止対策をする事で、新2連振子型機械式発電機に積載する事で、ゼンマイ切れ事故を無くした新技術のゼンマイ板装置に成る。
その他の技術説明。
ピアノ線を、大型ゼンマイ板に二列内蔵する技術の他、大型ゼンマイの取り付け部分に、固形窒素合成の冷却ゴムを、大型ゼンマイ板の取り付け部分に冷却ゴムを取り付ける事で、大型ゼンマイ板の金属劣化を遅らせる効果を、可能にした新技術説明に成る。
【００５３】
また、第37の課題解決手段として、特許請求項37の超軽量高出力発電人工衛星に積載する新2連振子型機械式発電機に積載する大型ゼンマイ板を、全自動で巻き取る為の、超小型高出力モーターは、銅コイルを、軽くした銅コイル線は、銅線を筒状形状にした場所に、軽水素トリチウム電子入りの圧電素子磁石体粒子を、銅筒官形状の中に内蔵した軽量コイル配線の銅筒官コイル配線とした超軽量モーターコイル配線の新技術説明に成る。
更に、モーターコイル板を、超軽量にする為、軽水素トリチウム電子入りの圧電素子磁石体超薄シートパネルと軽水素トリチウム電子入りのチタン酸バリウムシートを交互に、貼り合わせた超軽量磁石板に、超薄型の複数針穴形状の永久磁石ステンレス板を、軽水素トリチウム電子の多く入った高出力圧電素子磁石板に、複数針穴のステンレス超薄板を、被せた高出力コイル板に銅筒官コイルを、巻く事で、超軽量のモーター内コイル板を、可能にした新技術に成る。
そして、モーターの永久磁石は、高出力圧電素子磁石体に、複数針穴形状のステンレス板を、包むように被せる事によって、高出力圧電素子磁石体の滑落防止を計ってる。
この他、モーターカバーを、軽くする為に、グラスファイバー網に発砲スチロールと竹材灰と樹脂を、混合合成した物質を、グラスファイバー網に流し込んで固めた超軽量の高出力モーターボデイ板に成る。
従って、モーター配線は、新技術の超軽量の銅筒官配線を、高出力モーターのモーター配線に成る。
【００５４】
また、第38の課題解決手段として、特許請求項38の超軽量高出力発電人工衛星に積載する新2連振子型機械式発電機に、積載内臓するＤＣブラシシレスレールモーターのモーターコイルは、通常コイルと異なる新技術の超軽量の銅筒官コイルを、使用した超軽量の電気の通り易い物質で、作り上げた銅筒官コイルを、別名は、高出力銅筒官コイルと命名した銅筒官コイル配線に成る。
そして、ＤＣブラシレスモーターの、モーター板は、通常の永久鋼鉄磁石板を使用している為、重く人工衛星に不向きの為、永久鋼鉄磁石板の代わりに、鋼鉄磁石板の中央部分を刳り貫いた場所に、軽水素トリチウム電子入りの超薄圧電素子磁石体板と軽水素トリチウム電子入りのチタン酸バリウムシートを、交互に貼り合わせた高出力圧電素子磁石体を、永久磁石体の刳り貫いた場所に高出力圧電素子磁石体を、キチンと填め込みはめ込んだ場所に、複数針穴形状の超薄のステンレス永久磁石板を、貼り付ける事で、高出力ＤＣブラシレスモーターの永久磁石板と電磁石板の構造説明に成り、超軽量モーター物質機材説明と高出力銅筒官コイル配線と電気配線と高出力インバータ装置によって、超省電気消費モーターと超軽量モーター説明に成る。
【００５５】
また、第39の課題解決手段として、特許請求項39の超軽量高出力発電人工衛星に積載する新2連振子型機械式発電機に積載内臓するＤＣブラシレスモーター軸に接続する高出力電磁誘導発電装置は、高出力銅筒官コイル配線の軽水素トリチウム電子入り圧電素子磁石体粒子内蔵の銅筒官コイル配線を、高出力永久人工合成磁石板の軽水素トリチウム電子入りの圧電素子磁石体超薄シートパネルと軽水素トリチウム電子入りのチタン酸バリウム超薄シートパネルを、交互に複数貼り合わせた高出力圧電素子磁石体に、複数超小穴の超薄鉄板もしくはステンレス板を、高出力圧電素子磁石体に、織り込む様に貼り合わせる事で、高出力圧電素子磁石体の磁気圧が、高出力コイルと高出力人工合成永久磁石に行き通る事で、少ない電気量でモーター内高出力磁界線モーター回転を、可能にした高出力モーターの高出力電磁石を、使用した高出力電磁誘導発電装置は、高出力人工合成永久磁石の回転によって、複数の高出力電磁石と高出力銅筒官コイルと高出力永久合成人工磁石を使った高出力電磁誘導発電装置に成る。
【００５６】
また、第40の課題解決手段として、特許請求項40の超軽量高出力発電人工衛星に積載する新2連振子型機械式発電機に積載内臓する振子装置に積載する電磁石は、高出力電磁石即ち軽水素トリチウム電子が、入った圧電素子磁石体を、超薄板のシート状にしたパネルと軽水素トリチウム電子を、更に多く入れたチタン酸バリウムの超薄シートパネルを、交互に貼り合わせる事で、圧電素子磁石体内の軽水素トリチウム電子量を、多く入れた圧電素子磁石体を、複数針穴形状の永久磁石ステンレス板を、高出力圧電素子磁石体に折り込む様に高出力圧電素子磁石体を、固定してから、高出力銅筒官コイルを、キチンと巻いた電磁石が、高出力電磁石に成り、少ない電気量で、振子装置の高出力電磁石を、作動して、新2連振子型機械式発電機の作動電気消費を、更に少なくする事で、新2連振子型機械式発電機の総合発電量を上げる事を可能にしている高出力電磁石装置の説明に
成る。
【００５７】
また、第41の課題解決手段として、特許請求項41の超軽量高出力発電人工衛星に積載する新2連振子型機械式発電機に積載内蔵するインバータ装置のコイルは、プラスチック溶液と発砲材粒子を、混合合成した細芯に軽水素トリチウム電子入り、圧電素子磁石体を、被せたコイル芯に、複数針穴形状の銅筒官コイルを、巻く事で、軽水素トリチウム磁気電子を、吸収出来る複数針穴形状の銅筒官コイル配線を、積載したコイルとインバータ装置全体を、軽水素トリチウム電子入り圧電素子磁石体粒子内蔵シリコン瞬間熱発電シートを、インバータ装置に貼り付けた熱瞬間吸収発電出来る瞬間熱吸収発電のインバータ装置説明に成る。
【００５８】
また、第42の課題解決手段として、特許請求項42の超軽量高出力発電人工衛星に積載する新2連振子型機械式発電機に積載内臓する大型ゼンマイ装置は、絶縁金属のアルミニュームカバーまたはグラスファイバーカバーに、ゼンマイ板一部分に電気接触スイッチ金属装置を、取り付ける事で、大型ゼンマイの電気スイッチによって、大型ゼンマイを全自動で高出力超小型モーターで、大型ゼンマイ装置のゼンマイを、全自動で巻き取る事の出来る装置。
【００５９】
また、第43の課題解決手段として、特許請求項43の超軽量高出力発電人工衛星に積載する新2連振子型機械式発電機に積載する人工衛星の物体距離確認装置は、複数カラー色ライトライン装置は、望遠鏡を逆さまに使用した装置にカラー色の光を通す超細穴の一個空いた白板に、カラー色ライト光を当てて、人工衛星に近ずく物体の距離を、カメラのカラー色ラインの物体接点と人工衛星の距離を、全自動計測出来るカメラを積載した物体距離確認装置で有る。
この他、カラー色ライトが当たる超細穴空き板は、軽水素トリチウム電子入り圧電素子磁石体粒子内蔵シリコン熱瞬間吸収発電パネルを積載した装置に成る。
【００６０】
また、第44の課題解決手段として、特許請求項44の超軽量高出力発電人工衛星に積載するアルミニュームタンクの酸素タンクは、人工衛星の軌道修正の為の酸素タンクに超細ワイヤを、取り付けて、酸素タンクの交換手段とするあくまでも、酸素タンクの酸素噴射による人工衛星の軌道修正方法で有る。
此の他の人工衛星軌道修正方法の説明。
此の場合、地上または、空中から超高速のスクリュー電波をとばして、人工衛星の高速スクリュー波キャッチ体パネルとして、超薄型のクリスタルガラスパネルに、圧電素子磁石体の超高速スクリュー波キャッチ素子体を、クリスタルパネルに貼り付ける為、予めクリスタルガラス表面は、複数の針山構造のパネルに圧電素子磁石体または、軽水素トリチウム電子入り圧電素子磁石体粒子内蔵のシリコンの複数クリスタルガラスカバー穴空きパネルなどに、電波キャッチ兼用の高出力ソーラーパネルを、積載内臓したパネルに、超高速スクリュー波の電波打撃によって、人工衛星の軌道修正する技術に成る。
他の技術説明。
此の場合、人工衛星に、高出力発電機積載条件の上で、反重力反発装置に磁力線の補与反重力によって、人工衛星を、移動修正する方法だが、月と地球の間に人工衛星の位置条件と、スクリュー反発重力波の開発及び、人工衛星のパネル位置の重力移動計算の時代が、月と人工衛星と地球の重力移動計算関係と太陽と人工衛星と地球の重力移動計算等の、時代選択も近ずいている。
ちなみに、重りを有る一定の円球回転から、瞬間に楕円形回転に変えた場合、引力の引かれている方向へ方向を、変える事も可能で有る。
従って、人工衛星自らが、全自動引力位置修正の時代も、近いと言える。
【００６１】
また、第45の課題解決手段として、特許請求項45の超軽量高出力発電人工衛星の軌道修正に使う酸素タンクを、捕獲する人工衛星の網は、絹糸十字編みの超細ロープと超細ロープ網の記憶形状として、グラスファイバの超細長パネルを、内蔵した絹糸十字網に内蔵する事で、容易に網を、広げる事が出来る事によって、酸素タンクカプセルを、キャッチして、人工衛星ロボットアームまたは、打ち上げ型の宇宙空間人型ロボットによって、人工衛星の軌道修正補助タンク交換を、可能にしている。
この他、人型ロボットによって、人工衛星の軌道修正を、可能にしている技術も有る。
【００６２】
また、第46の課題解決手段として、特許請求項46の超軽量高出力発電人工衛星の機動修正に使う酸素タンクロボットは、循環発電充電池と超薄型の軽水素トリチウム電子入り
圧電素子磁石体粒子内蔵シリコンソーラーパネルを酸素タンクのカバーとした高出力太陽光発電装置を積載内臓した酸素タンクロボットは、二本のロボットアームを、使って酸素タンクを、人工衛星に固定したり、人工衛星の部品交換などを、リモコンまたは、全自動の故障電波連絡波の受信によって、全自動で人工衛星の修理を、ロボット全自動修理を、可能にしている人工衛星の作業ロボットで有り、全自動ロボットの修理手順は、地上コンピーターへ、全自動送受信して、修理手順を、ストックしてから、修理出来る全自動ロボットに成る。
【００６３】
また、第47の課題解決手段として、特許請求項47の超軽量高出力発電人工衛星のニュートリノキャッチ装置は、ニュートリノの発見及び装置の発明者の許可を、取ってから人工衛星に設置内蔵して、大気圏の前のニュートリノのキャッチ状況計測出来る装置に成る。
この他、可視光線キャッチ体装置などの、人工衛星内蔵設置も考えられる。
【００６４】
また、第48の課題解決手段として、特許請求項48の超軽量高出力発電人工衛星の可視光線キャッチ体は、高出力ソーラーパネルの表面に、複数の針穴パネルと通常のプラスチックパネルと高出力ソーラーパネルを、白色にした部分的高出力ソーラーパネルと色の種類分のソーラーパネルを、数百個貼り合わせた、複数針穴形状の高出力ソーラーパネルまたは軽水素トリチウム電子の入って無い数百個のブロックシートソーラーパネルを貼り合わせて作った人工衛星の可視光線計測装置を積載内臓した人工衛星が考えられる
事に成る。
【００６５】
また、第49の課題解決手段として、特許請求項49の超軽量高出力発電人工衛星の複数の衛星波受信装置は、複数の軽水素トリチウム電子入り圧電素子磁石体粒子アンテナと木材灰とプラスチックを、混合合成した絶縁体に、樹脂網を、内蔵した装置に軽水素トリチウム電子入り圧電素子磁石体粒子アンテナ素材と木材灰とプラスチック合成絶縁体を、樹脂網にアンテナ送受信装置を、交互に貼り合わせる技術に成る。
従って、超小型送受信装置の超小型銅筒官コイル装置と超小型高出力圧電素子電磁石などを使用積載内臓した超小型送受信装置ボックスは、外部から、ロボットアームによって、取り外し交換が可能な装置に成る。
【００６６】
また、第50の課題解決手段として、特許請求項50の超軽量高出力発電人工衛星の月の位置と太陽の位置を、人工衛星の積載のカメラが、計測する為、超小型のモーターカメラとして、高出力ＤＣブラシレスインバータ制御レールモーターによって、地球の地上の望遠カメラ撮影と月の位置と太陽の位置を、人工衛生積載の望遠カメラの観測撮影が可能に成る。
【発明の効果】
【００６７】
上述したように本発明の超軽量高出力発電人工衛星は、今までより、ソーラーパネルの発電量を、大幅にアップしたり、する事で、衛星機器の機能を、増やす事が出来る事によって、人工衛星観測を、より一層充実した機器にする事が出来る。
【００６８】
また、今後の人工衛星は、人工衛星の軌道修正を、地上から、複数束の高出力超高速スクリュー電波波によって、人工衛星の全自動軌道修正が行われ、新技術の、新2連振子型機械式発電機の炭素カーボンパネルより軽い木材灰及び竹灰及び雑草灰とプラスチックを、混合合成した新技術パネルによって、人工衛星と新2連振子型機械式発電機の超軽量パネルを、使った新技術人工衛星の活躍を期待出来る効果を発揮するもので有る。
【００６９】
また、今までの人工衛星の電気消費を、軽減する技術として、高出力発電回路と高出力モーターと高出力銅筒官コイル配線と高出力電磁石と高出力電磁誘導発電装置と高出力圧電素子磁石体と高出力銅筒官電気配線と高出力人工合成永久磁石体と高出力ソーラーパネルと高出力コンデンサーと高出力回路配線と高出力ダイオードスイッチ回路と高出力ＣＣＤ被写体認識装置と高出力送受信回路と高出力アンテナと高出力高速スクリュー衛星波等の、電気消費を、少なくしたり、電気を通すだけで発電出来る回路と世界最速の充電装置の、圧電素子4電子磁気分割装置の世界最速急速充電装置などの積載内臓によって、夢の様な電気消費の少ない超軽量の人工衛星新技術によって、全世界の家電製品及び電気業界の常識を、変える事で、資本主義企業国家で、絶対出来なかった弱者一人一人の社会の平等の人権と平等の生活基準を達成する為の、弱者一人一人の財団設立の為の、基本に成る知的所有財産の世界進出の効果を発揮するもので有る。
【産業上の利用可能性】
【００７０】
図11の、産業上の利用可能性の説明図の図11の、AD1は、電気充電の入らない冷蔵庫の未来図に成り、電源は、AD8の新2連振子型機械式発電機は、超軽量高出力発電人工衛星の新技術部品の高出力銅筒官コイル配線新技術と高出力コイル新技術と高出力マグネトロン新技術と高出力人工合成永久磁石新技術と高出力電磁石新技術と高出力銅筒官電気配線新技術と、高出力超軽量超小型モーター新技術と高出力熱発電型コンデーサー新技術と高出力軽水素内蔵ダイオードスイッチ回路新技術と高出力熱発電型絶縁体新技術と高出力熱発電型発電機カバー新技術装置と高出力ダイナモ新技術と高出力発電回路新技術などの、世界最新技術の電気消費を、抑える世界最新技術を、積載したAD8の、新2連振子型機械式発電機に成り、あらゆる世界中の電気製品の電源及び無給及び無充電の電気自動車等の積載可能に成り、原子力発電及び火力発電を、一切必要としない個人向けの半永久連続発電機の世界売電事業が可能に成り、日本国の全額900兆円越えの全額借金早期返済が可能に成るAD8の新2連振子型機械式発電機の世界最新技術に成る。
この他、未来冷蔵庫は、フロンガスを、大気放出しないADフロンガス内蔵炭素ビニールカートリッジ冷却装置は、冷蔵庫の廃棄処分の際、冷却カートリッジを、取り外して再利用出来る冷却装置になり、冷却装置は、複数の穴空きブロック構造のフロンガス入り炭素ブロックを、ビニールシートで、フロンガスの大気放出防止を、施した装置に成り、2002年10月の著作権新技術作品に成り、北海道知事郵便著作権物受理証明書が存在する。
此の場合、炭素の変わりに、窒素固形物質及びケイ素及びヨウ素及び木材チップ粒子にフロンガスを、内蔵する特許技術の他の著作権技術が考えられ、ビニールシート以外に、プラスチックシート及びダイオードシート及び樹脂プラスチックシート等の、フロンガス大気放出防止手段が有る。
この他、冷却装置のガス官を、冷却ガスパイプパルプ装置によって、冷蔵庫を、２ブロック以上の積み重ねタイプの外金具止めの、冷蔵庫は使用しない時は、冷却ガスを、電動モーター仕切り弁及び高出力電磁弁等によって、冷却ガスを止めて電気節約を計ったり、遠出の際の電気節約冷蔵庫として、未来冷蔵庫として活躍出来る装置に成る。
この他の冷却技術説明
未来冷蔵庫の電気消費を、抑える技術として、冷蔵庫内に、AD4の固形窒素内蔵木材灰入りプラスチックパネルは、パネル重量を抑えた新技術装置に成る。
この他、AD5のスクリュー固形窒素冷却管は、スクリュー形状の銅官に、固形窒素粒子入り樹脂材などを、銅スクリュー官に被せた装置は、冷却ガスの送風スピードを上げる事の出来る新技術に成る。
この他、AD6のスクリュー冷風官繋ぎパルプは、他社の冷蔵庫に無い新技術に成る。
更に、冷蔵庫はAD9の竹材灰入りプラスチック超軽量パネルは、炭素糸を使用した炭素パネルより、軽く成る超軽量パネルは、人工衛星のパネルに使用予定に成る。
そして、冷蔵庫画像パネルは、世界最新技術のAD2の大型発電液晶回路テレビパネル新技術とAD3の小型発電ガス映像回路発電テレビパネルの電気熱瞬間発電の軽水素トリチウム電子入り、圧電素子磁石体粒子内蔵シリコン熱瞬間吸収発電パネルに成り、テレビ回路部品は人工衛星の高出力発電回路部品に成る。
他の新技術著作権説明
未来冷蔵庫は、超小型のAD11のリモコンジュース缶取り出しロボットのジュス官取り出し口は、冷蔵庫とリモコンロボットセット装置は、未来の介護ロボットを視野に入れた
装置に成る。
この他、冷蔵庫とクーラーを組み合わせた装置等が未来電気製品の最新電化製品は、クーラスクリュー官を夏冬交換するタイプなどが、未来家電の最新著作権技術に成る。  
【００７１】
図12のAD12の電気の入らない置き型冷暖房クーラーの未来製品は、AD19の高出力超小型水発電機の半永久全自動発電機は、人工衛星の大型タイプなど、宇宙ロボットの電源として利用可能に成る。
従って、AD13の加湿用貯水熱発電タンクは、超小型高出力発電人工衛星の積載の電気熱瞬間電気変換装置の軽水素トリチウム電子入り圧電素子磁石体粒子内蔵シリコン熱瞬間吸収電気変換シートパネル世界最新技術は、電気熱を、瞬間にシリコンに吸収して、圧電素子磁気変換を、軽水素トリチウム電子の熱瞬間吸収電子を、瞬間に熱電気磁気分割する技術によって、世界の電気製品分野の電気熱発電技術を変える事に成った新技術に成る。
この他、AD14のインターネット用発電液晶回路テレビは、電気熱瞬間電気変換シートパネルの世界最新技術と高出力発電回路の世界最新技術が積載内臓に成って入る。
その他、AD15のフロンガス内蔵ケイ素ヨウ素プラスチックカートリッジは、超小型高出力発電人工衛星の、圧電素子4電子磁気分割装置のリサイクル回路等を、冷やすフロンガスをシートパネル状に使用積載した最新式の世界最新冷却シートパネル技術に成る。
更に、AD16の高出力モーターは、世界で一番電気消費を少なくしたモーター世界最新技術に成る。
そして、AD17のスクリュー冷暖房発電送風管は、超小型モーターによって、全自動で、冬用の軽水素トリチウム電子入り圧電素子磁石体粒子内蔵シリコンシートパネルを使ったスクリュー電気熱発電官と夏用の、AD15のフロンガス内蔵ケイ素ヨウ素プラスチックスクリュー官を、高出力モーター交換出来る冷暖房置き型クーラーに成る。
この他、AD18の、地方自治体の文字無線高出力発電回路液晶テレビは、世界に先駆けて電気を電気製品回路に流すだけで、電気の軽水素トリチウム電子入りの圧電素子磁石体の電気増幅発電装置の高出力圧電素子磁石体装置を積載内臓した装置に成る。
更に、電気中の熱電気のみを取り除く装置の、AD20の電気消費を少なくする世界最新技術の、圧電素子4電子磁気分割装置などは、世界全ての電気消費を、少なく出来る装置に成り、この装置を、使った世界電気商品事業だけで、日本国の900兆円越えの全額借金返済も可能に成る技術に成り、電気業界全体が、圧電素子磁石体を、電気回路に内蔵積載した、電気消費を減らした商品の不正技術盗作に注意しなければ成らないわかり易くても、気が付きずらかった世界最新技術に成る。
その他、AD21の一戸建て免振装置の改良タイプの圧電素子磁石体粒子入りビニールと圧電素子磁石体入りプラスチック接着シートを、電気製品の下の滑り止め装置と床に磁石体接合の為の、異なった別の磁石体シートに接合する事で、電気製品の滑り止め効果を、大きくする技術としている。
他の家電滑り止め装置エアーチューブの超小型装置を、家電の両サイドに挟めて接着する事で、地震などの家電の滑りによる家電破損を防ぐ装置が考えられる。
他社技術として、家具等の固定金具装置と家具等を、固定するシリコンゴム接着装置が有るが、電気製品自体に、免振装置を積載した電気商品は無く、電気製品の滑り止め特許切れの特許切れ技術の書き換え新技術に成るが、新技術特許料金料は、低価格設定に成る理由として、電気製品滑り止め装置の特許切れの為、技術請求額は、安く設定する事に成る。
そして、AD22の暖房用テングステン金属内蔵ニクロム線は、電気熱消費を、抑える為のニクロム線筒官にテングステン金属を、内蔵した二重金属電熱線に成り特殊電熱線に成り、世界最新技術の循環型の燃料電池発電池などのニクロム線に使用積載されている新技術に成り、将来的には人工衛星積載も考えられている技術に成り、地熱の断熱パネルのテングステン金属内蔵ニクロム線入りのセラミック陶器パネルを使用積載した装置に成る。
そして更に、AD23のスクリュー固形窒素官は、スクリュープラスチックダイオード官に固形窒素を、巻いて発砲スチロールビニールシシートを被せた冷却パイプに成り、発砲スチロールを、亜麻糸網に吹き付けたシート等が、考えられるが、ナイロン網糸でも良いと考える。
この他の技術として、クーラーに放射線大気放出防止型放射線内蔵透明プラスチック三重パネルによって、サモーカメラの海外技術を、一般社会でも使用可能にした人の体温状態を、24時間全自動監視して、人の体温が、下り次第冷暖房の温度調整を、省エネルギーモードに速やかに全自動切換え出来る機能と、冷暖房の消費電気に対して、部屋の温度が変わらない場合、リモコンカーテンのスイッチ全自動確認及び、循環式家丸ごとエアーカーテンシステム及び循環式家外水迂回システムの全自動スイッチによって、家の外部からの冷風と暖気流の侵入を、防いで、冷暖房装置を、余り使用しないで、空気清浄機使用切換えによって、体調全自動管理を、行ったり、空気清浄機は、夏場は、地下室の冷風を使用した空気清浄機全自動作動切換えなどが出来る冷暖房システムに成り、サモーカメラは、人の住んでない時や、睡眠中の防犯カメラとして、24時間全自動作動して、緊急時は、携帯電話に全自動カメラ連絡出来る通常カメラとサモーカメラとレントゲンカメラの危険物確認の為の三種類の異なったカメラ積載の冷暖房装置に成り、動物形状認識と子供形状認識を、カメラが全自動で、行い、冷暖房スピーカー装置によって、動物に水を上げて下さいとか、子供さんにビタミンジュースを与えて下さいの音声連絡装置によって、気配り出来る冷暖房装置に成る。
この他、音声認識スピーカーマイクによって、熱すぎるの音声登録によって、強制冷房または、強制暖房が可能にする事が、出来る装置に成る。
従って、放射線放出防止の複数切換え全自動カメラは、あらゆる分野のカメラに使用積載出来る海外技術のサモーカメラと海外技術のレントゲンカメラの特許切れ技術を、使用積載した複数切換え可能なカメラの新技術に成る。
この他、サモーカメラの放射線パネルを、カメラレンズ三分の一使用及び三分の二使用によって、顔は、人の通常顔に成り、三分の一だけ、熱感知サモーカメラとレントゲンカメラと紫外線パネルカメラと赤外線パネルカメラに使用出来る特殊カメラ撮影も可能に出来る装置に成る。
【００７２】
図13の産業上の利用の可能性説明図の、AD34の家庭電気の入らない空気清浄加湿器は、AD35のゴミ取り用生ゴミ灰入りプラスチック網フイルターは、パネル室内空気取り入れ超軽量管の木材灰入りナイロンパネルは、炭素糸パネルより、軽く成る世界最新式技術に成る。
この他、AD36の高出力卍形状インバータ制御モーターは、世界で一番電気消費の少ないインバータ磁極全自動切換え制御モーターに成り、本田技研の特許権主張のDCブラシレスモーターと電気製品各社が電気製品のDCブラシレスインバータ制御モーターの商品主張するDCブラシレスモーターより、更に電気消費を、少なくした世界最新のAD36の高出力卍形状インバータ制御モーターに成り、換気栓などの力の弱いモーター設置場所に使用設置可能に成る。
その他、AD37の加湿用熱発電タンクは、タンク全体に、コイル電気配線が、巻かれた水タンク装置で有り、軽水素トリチウム電子入り圧電素子磁石体粒子内蔵シリコンシートパネルを、水タンクの内側に内蔵する熱瞬間吸収の熱電気磁気変換装置に成る。
他の発電手段の利用研究説明
磁波の強い場所の、磁波の電気変換装置として、軽水素入りの圧電素子磁石体パネルの磁波電気変換装置の他、地中の磁極磁場の強い部分に池を設けて、軽水素酸素水タンク池を、設けて、プラスの強い電気のみを、通して磁極磁場の磁波の電気と軽水素トリチウム電子を、結合させて、増幅電気を得る新しい発電方法に成る。、
更に、AD38の超軽量雑草灰入りエボナイトナイロンプラスチック網フイルターは、エボナイト粒子とナイロン粒粒子に軽水素トリチウム電子を、内蔵した軽水素トリチウム電子入りのナイロン粒子とプラスチック粒子の三通りの異なった粒子を、混合合成して固めて圧縮した静電糸で、作った網は、空気中の静電ホコリを、吸着し易くした空気清浄器専用のフイルターに成るが、他のフイルター利用も期待出来る新技術に成る。
そして、AD39の超軽量木材灰入りプラスチック網は、超軽量パネル及び超軽量糸及び超軽量ロープの実用新案及び特許応用が期待出来る。
この他、AD40の竹材灰入り圧電素子磁石体粒子内蔵ビニールシリコン網フイルターは、軽水素トリチウム電子を、内蔵させる事で、世界最新技術の発電フイルターに成る。
更に、AD41の軽水素酸素水陽電子陰電子スパーク発電機は、軽水素トリチウム電子と酸素に電気抵抗の無いプラス電気とマイナス電気を、軽水素酸素水の超微粒子集合体に電気を通してスパークさせる事によって、軽水素トリチウム電子の微粒子と酸素微粒子の混合微粒子体の軽水素と酸素の科学反応発電を、促進させた電気熱打撃発電方法に成り、世界最新技術の発電方法に成り、通常の水素と酸素の化学反応発電量より、発電量が多く成る俗に言う異成った燃料電池発電方法だが、墫野和夫以外特許説明出来ない発電方法に成る。
そして、AD42は、世界に無い、電気消費を少なく出来る圧電素子4電子磁気分割装置に成り、電気自動車の急速充電装置によって、高出力電磁誘導発電モーターによって、バッテリー車の走行を、全世界のバッテリー走行距離技術より、格段と走行距離を伸ばす事を可能にした世界最新技術に成る。
【００７３】
図14の産業上の利用の可能性説明図のAD24の家庭電気配線の入らない全自動瞬間乾燥洗濯機は、AD25は、洗濯槽撮影魚眼一つ削り凸レンズは、凸レンズ半分から上部分の魚眼レンズは、映像の全自動修正が、必要に成るが一度に広い視野の映像を、手に入れる事が出来る。
この他、AD26の防犯用撮影の映像発電回路内蔵映像パネルは、電気を回路に通しただけで、増幅発電出来る高出力プラス発電回路と増幅発電出来る高出力マイナス発電回路に成る。
そして、AD27の二つ開き扉蓋装置は、一つ蓋装置と異なるデザインの洗濯乾燥機蓋装置に成る。
更に、AD28の木材灰入りテトロン合成糸網を使った超軽量糸使用のゴミ取り網または、洗濯網の使用可能に成り、洗濯機の外回りを、超軽量パネルに変える事を可能に出来る装置に成る。
そして更に、高出力DCブラシレスインバータ制御レールモーターは、本田技研工業自動車の主張するDCブラシレスモーターより、更に電気消費を、少なくして、高速回転を可能にした高出力モーター技術に成り、現在、電気製品各社の商品主張しているDCブラシレスモーターより、電気消費を少なく出来る。
その他、洗濯乾燥スピードを、世界最速にしたAD30の高出力真空装置乾燥機装置は、超小型の真空装置として、ベルトを使わず複数歯車と高出力モーターとスクリュー官を使用積載した超小型真空装置は、高出力電磁誘導発電モーター積載の超小型真空装置も有る。
従って、発電装置として、無害無給油型のAD31の高出力全レール沸騰水制御発電機は、高出力棒状レールインバータ制御モーターによって、沸騰水装置の全部のモーター制御によって、沸騰水スピード制御を可能にして、沸騰水温度制御とスクリュー官によって、沸騰水発電機の制御可能にした急速バッテリー充電型のAD31の高出力全レールモーター沸騰水制御発電機に成る。
この他、洗濯水を、超小型真空装置によって、AD32の循環水濾過タンク装置は、洗濯水を、一回の洗濯水量で濯ぎまで出来る世界初の装置に成る。
そして、AD33の洗濯機タッチ液晶スイッチパネルは、発電回路内蔵の液晶タッチ発電パネルに成り、世界最小の電気消費液晶パネルに成る。
【００７４】
図15の、産業上の利用の可能性説明図のAD43の、電気充電の必要のない全自動ニャンワンロボット掃除機は、AD45の高出力モーター口に、新聞等を挟んで咥えて運ぶ為の装置で有り、AD46のロボットアームは、新聞等を全自動認知して挟んで取る事の出来る装置で有り新聞等を、全自動ロボットカメラ全自動認識確認認知出来る装置で有り、AD47のブルーソーラー青い目は、窓際の太陽光を、吸収する為に、AD43の全自動ニャンワンロボット掃除機は、掃除終了後必ず窓際に行って外を、見つめる設定に成ってる。
更に、AD48は室内ＧＰＳ耳アンテナは、AD43の全自動ニャンワンロボット掃除機の位置を認識及び確認及び認知する為の全自動電波キャッチ体で有り、AD43の全自動ニャンワンロボット掃除機内に、各部屋の部屋地図が、内蔵されている為、各部屋の床の場所が、認識して全自動掃除出来る2001年作品に成る。
従って、将来的には、腕が伸びて高い位置の掃除とか、狭い位置の掃除を、全自動で行う事の出来る全自動掃除機を、目指している為、全自動ロボットニャンワン掃除機の腕は、第二の掃除機の吸い込み位置に成り、他社に無い構造の掃除機に成る。
そして、AD49のワンタッチ高出力発電回路液晶スプリング内蔵テレビは、指でAD43の全自動ニャンワンロボット掃除機の背中部分を、押したり、音声でテレビとAD43の全自動ニャンワンロボット掃除機に話しかけたり、ロボットカメラに、ジエスチャーで、テレビジエスチャーモード連絡する事で、テレビが、モーターで飛び出して、ジェスチャーでテレビチャンネル切換えと音声切換えが出来る多機能ロボット家電の一つに成る。
そして、AD51の縄型棒形状筒型モーターは、猫と犬の尻尾が、筒状に成っており、袋状のビニールに、ゴミを詰め込んで、ゴミ箱を全自動認知して、猫型と犬型の全自動掃除機の尻尾から、ゴミを捨てる他社に無い全自動掃除機のシステムの説明で有り、AD51の縄型棒形状モーターは、通常医療縄型モーターを、筒状使用に変えたタイプを、更に、複数の高出力人工合成永久磁石と高出力電磁石を、組み合わせて複数の磁石間接移動で、曲がるタイプも有り、ゴミは、太めのピアノ線パネルによって、ゴミの入った超長ゴミ袋を、AD55のゴミ箱の中に押し出す構造に成って入る。
従って、AD53の高出力モーター吸引用は、AD56のゴミ圧縮押し出し装置の別の棒状の高出力モーターに成り、AD57の高出力モーターのAD43の全自動ニャンワン全自動掃除機のモーターに成り、ADの44のゴミ吸い取り口から、ゴミを吸い取るスピード設定も出来る装置は、AD50の室内天井取り付け型GPS室内地図によって、AD43の全自動ニャンワンロボット掃除機を、AD52の新2連振子型機械式発電機の電源によって、全自動掃除が可能に出来る装置。
この他、AD55のゴミ箱は、AD58の圧電素子磁石体粒子入り木材灰入りプラスチックゴム滑り止め装置によって、AD43の電気充電の必要の無い全自動ニャンワンロボット掃除機のAD55のゴミ箱の固定装置にも成る。
固定装置の場合、セラミック陶器パネルを、内蔵した圧電素子磁石体粒子入り木材灰入りプラスチックゴム滑り止め装置タイプは、セラミック陶器の重みと圧電素子磁石体粒子によって、床とゴミ箱を、固定する方法の装置も有る。
【００７５】
図16の、産業上の利用の可能性説明図のAD59の、全自動高出力食器洗い乾燥機は、AD60の取り外し型磁石プラスチックゴム滑り止め装置は、カラー色デザインを、選べる滑り止め装置に成る。
この他、AD61の食器は、AD62の、高出力噴水ノーズルモーターは、超小型スクリュー官を、取り付ける事によって、水の噴射スピードを、速くする装置に成り、この他、超小型コンプレッサーとスクリュー官によって、噴水スピードを、世界最速にする事で、食器洗いスピードを、速めている装置に成る。
更に、AD63の食器洗い用濾過水タンクは、食器洗い使用の水の量を減らす為の、AD65の超小型真空装置に成り、AD64の高出力発電回路付き循環発電バッテリーの電源によって、作動出来るAD59の全自動高出力食器洗い乾燥機で有る。
【００７６】
図17の、産業上の利用の可能性説明図のAD66の電気配線の入らない発酵熱発電池積載の扇風機は、AD70の発酵木材粒子竹粒子内蔵軽水素トリチウム電子熱発電池使用積載の、AD68の高出力卍形状インバータ制御レールモーターの世界最小の電気消費モーターを使用積載した装置に、AD69の氷貯蔵タンク固形窒素内蔵合成プラスチックタンク室は、冷蔵庫の氷を入れて冷風を少しだけ出す事の出来る装置に成り、AD74の固形窒素内蔵合成プラスチック官によって、送風が行われ、AD73の冷蔵庫及び濾過水タンク送風管取り付け金具装置は、冷蔵庫に、冷風配管を取り付ける事で、冷風を送風出来る装置に成り、AD75の固形窒素合成プラスチック扇風機羽根装置に成り、AD71の波形状圧電素子磁石体粒子内蔵ダイオードゴム滑り止め装置に成る。
そして、AD67のスクリュー電波高出力リモコン装置は、通常電波を、超小型スクリュー官に通す事で、スクリュー電波が出来る事に成る。
その他、AD72のタッチパネルは、軽水素トリチウム電子入り圧電素子磁石体と電気の通るプラスチック粒子を、合成したタッチパネルまたは、液晶タッチパネル及び電波遮断型のタッチキー及び赤外線遮断タッチキー及び紫外線遮断タッチキー等によって、扇風機を作動させる事が出来る装置に成る。
【００７７】
図18の、産業上の利用の可能性説明図のAD76のトリプル録画再生長時間置き型ビデオは、AD81の表裏両面卵型空洞ＭＤ装置とAD89の表裏両面CDとAD84のビデオ多層カードカートリッジと携帯電話及びカーナビゲイション用超小型圧電素子多層型カードなどの録音録画が出来る装置で有り、AD80の発電回路内蔵テレビパネルは、電気を通すだけで増幅発電出来る高出力発電回路とAD84のビデオ多層カードカートリッジに積載内臓する複数絶縁体の、AD木材灰入りプラスチック絶縁体を複数枚圧電素子ライン磁気膜に絶縁体を貼り付けた構造に成り、AD85の高出力ソーラーパネルのビデオ前パネル構造に成る。
この他、AD78の各捜査パネルとAD88の表裏両面卵型空洞MD装置取り込み口とAD89の表裏両面CDの取り込み口とAD86のビデオ多層カードカートリッジ取り込み口とAD79の音量摘み装置等のホコリとゴミが溜まり易しい部分を、保護する為のAD78の各操査パネル巻き取り型布カーテンカバーは、エボナイト素子を、糸状にした布を家電製品のホコリ防止カバーとしたカバー素材に成る。
そして、AD77のプラスチックビニール滑り止め装置によって電気製品の滑り事故を防いで入る。
【００７８】
図19の、産業上の利用の可能性説明図のAD96の磁気認識と異なるライトカメラ印刷機は、AD90の複数筒型針印刷印字画装置の、超細の筒型針形状にインクの出し入れの為の、複数筒形状の針筒形状の穴にインク官とインクの流れを高出力モーター調整出来る複数針装置を、複数筒型針穴に別の先の丸い針穴を通す事で、インクの出し入れを全自動高出力モーター調整を、複数の針穴筒形状装置それぞれが、AD95の高出力LEDライトカメラが、AD98のクリスタルガラス板の上に置かれるAD95の高出力LEDライトカメラ撮影用の原稿を、ライトカメラで、撮影した画像を、軽水素トリチウム電子入りCCD被写体認識装置によって、インクの出し入れ高出力モーター全自動調整によって、AD99の印刷用ペーパー収納場所のペーパーに、AD90の複数筒型針印刷印字画装置によって印字及び印画する事が出来る印刷機で有る。
従って、印刷用ペーパーとして、AD94のロール印刷用ペーパーまたは、AD93の印刷前用紙認識用平行四辺形箱装置にA4用紙を入れて紙を、高出力モーター使用の紙を送って挟んで印字印画セット出来る装置によって、印字印画の段取りをする事が出来る。
この他、AD100の読み込み用へーパーは、差しこんでA4用紙を置く構造に成ってる。
そして、本体のプラスチックは、超軽量の、AD97の超軽量生ゴミ灰入りプラスチックパネル板を使用積載してるのも特徴の一つに成る。
更に、AD102の印刷機高出力発電回路とAD91の印刷機用スプリング高出力モーター飛び出し電磁石操作パネルに成り、高出力モーター開閉装置と電磁石スプリング開閉装置の二
種類が存在して、これら電源はAD101新2連振子型自動充電池と高出力発電回路の複数装置によって、電気が賄われ、家庭配線電気と充電器は、必要としない装置に成る。
【００７９】
図20の、産業上の利用の可能性説明図のAD103の多層式カードカートリッジ型情報装置は、複数の木材灰入りのビニールシート絶縁体に複数の圧電素子複数ライン磁気に絶縁体を使用積載した他社の通常磁気使用と異なる圧電素子磁石体磁気体を使用積載した磁気カードシートを、超軽量絶縁体を複数使用積載した多層式カードカートリッジに成り、両面録画録音再生タイプのテープタイプの情報装置と表裏両面録音録画再生CDタイプの装置より、情報の呼び出しが、少し早く成るのが特徴で有り、録音録画がスピーデイーに進む為、多層式カードカートリッジタイプの情報装置は、高価なスーパーコンピューターの代用品として、使う事が、出来るが、スーパーコンピューターの機能を、引き出す為には、沢山のカードカートリッジ式の情報装置が必要に成る。
この他、AD109のアンテナ兼用圧電素子磁気内蔵ダイオードビニール滑り止め装置は、AD110のアルミニューム磁気絶縁超薄パネルによって、情報装置の振動による滑りを防いで情報装置内の装置の磁気障害を、防ぐ目的から、AD110のアルミニューム磁気絶縁超薄パネルが有り、リモコン電波の取り込みアンテナとして、AD108のデータ送受信取り込み口に成る。
従って、AD107の圧電素子磁気使用型多層式カードカートリッジは、AD105の高出力カメラマイク即ち、高出力銅筒官コイル配線と高出力コイルと高出力銅筒官配線と高出力電磁石等の高出力部品によって、作られている高出力カメラマイクとAD106の多種電波使用型暗号音声認識発電表示操作パネルは、高出力カメラのジエスチャ暗号キーと音声マイクで発生した音声は、音声一駒一駒が、ブロック波及びのこきり波及び高周波及び低周波及び中波などを、音声の一駒一駒を、様々な電波送信機にする事で、他の電波の操作妨害を、防ぐ目的の為に、複数の電波送信機とカメラ暗号ジエスチャーを組み合わせる事で、情報装置の切換え手動リモコン操作の誤作動を防いで入る。
その為、これら装置は、AD104の複数高出力発電回路内蔵新2連振子型機械式発電機の電源によって、AD103の多層式カードカートリッジ型情報装置を、停電時も、関係無く連続作動出来る装置に成る。
【００８０】
図21の、産業上の利用可能性説明図として、基礎杭は、廃棄プラスチックと廃棄ガラスを使用積載した再生材グラスファイバー杭と基礎コンクリート枠は、固形窒素粒子パネル内蔵グラスファイバー枠は、枠内に鉄筋を止める一部が、強化ゴム製の鉄筋止めの為のボルトナット止め用の穴とセパ穴が空いている構造に成り、コンクリート一部が、免振杭が、コンクリート状に固定に成るように、免振杭の頭の一部が、ミッション歯車構造に成っている免振杭構造に成り、差し込む場合は、専用の歯車鉄カバーを取り付けて免振杭が、打ち込まれる構造に成って入る。
更に、基礎枠全体の部屋部分それぞれに、免振杭の補助免振杭が、取り付く構造と部屋の隅々は、グラスファイバーの角とり場所に成ってる為、免振枠全体が、地震の振動自体の、コンクリート基礎破壊に成らない構造に成っている為、二か所分割枠の合わせ部分は、四倍の厚さの枠と複数のボルトナットと、四倍の厚さのグラスファイバーパネル二枚が取り付けられる構造の板と免振基礎枠技術に成る。
そして、家全体が、組立式に成る為、通常一戸建て基礎コンクリート幅の二倍にする事によって、家の強度を、上げると同時に、基礎コンクリートに止める為の金具板が、基礎コンクリート全体か゜地震に耐える事の出来る出来る為の枡構造取り付け金具板構造にする事で、金具に負荷が掛る構造に成っている。
従って、三階建ての家は、五本のコンクリートグラスファイバー杭を、三階まで、立ち上げる構造に成ってる。
そして、基礎コンクリートと五本の免振杭に、箱型の金具と圧電素子磁石入り強化ビニールアルミニュームパネルが、内蔵に成っているボックスハウスは、更に揺れ防止割りポルトカバー付きナット形状の鋼鉄ポルトナット止めによって、固定されている。
従って、グラスファイバー床に、木材パネル板の端が、ゴム製カバーが取り付けられている為、地震の際でも、木材床変形を、避ける事が、出来る。
更に、一階と二階のグラスファイバー枡部屋は、5本のグラスファイバーコンクリートと四本の金具板によって、固定される為、安定出来る理由として、五本のグラスファイバー杭には、二階の枡を、乗せて固定する杭突起物が有り、二階部分の枡部屋は、ポルトナット止めに成る。
そして、壁の火災防止軽量パネルは、竹灰入りビニールパネルなどで、対応している。
最後に、屋根板は、グラスファイバーに、木材パネルを貼り付けて、アルニューム屋根板パネルを、差し込み固定のボルトナット止め構造にしている理由として、鉄板は、錆びる欠点が有り、屋根の釘等から、雨漏りをする欠点を無くして入る。
この他、壁紙は、木材灰入り紙と圧電素子磁石体入り紙によって、壁材の痛みを無くして入る構造に成る。
【００８１】
図22の、産業上の利用可能性説明図は、電気充電池の考え方から、電気を、貯蓄する貯蓄電池考え方として、電気を、貯蓄し易い物質として、液体マグネシウムと固形窒素と軽水素トリチウム電子を、内蔵したプラス電極貯蓄体と木材灰と固形窒素合成の絶縁体を、使ったプラス電極のみの電気貯蓄電池構造とマイナス電極貯蓄体として、木材灰と固形窒素合成の絶縁体を、使ったマイナス電極のみのマイナス電気貯蓄電池構造とマイナス電極貯蓄体とした、貯蓄電気貯蔵装置の説明として、電気充電の物質化学反応充電で無くプラスの電気は、プラスの電気のみを、貯蓄する構造で有り、マイナスの電気は、マイナスの電気のみを貯蓄する構造に成り、充電するプラス電気とマイナス電気を、充電する電気抵抗物質要件が、無い為、スムーズムに電気貯蓄出来るが、大量の電気貯蓄は、出来ないが、発電したりして、作った電気を、一時的に貯蓄したり、循環式に電気を、貯蓄する構造としては、最適な電気の電気貯蓄構造体に成る。
【００８２】
図23の、産業上の利用可能性説明図は、高出力モーターを使用積載した年月日衛星時計時間スタンプ装置は、超小型ＤＣブラシレスレールインバータ制御モーターと超小型歯車は、充電池と高出力発電回路の電気エネルギーによって、衛生時間の全自動修正時間を、超小型歯車と時間認識歯車によって、正確の年月日時間を、全自動歯車回転修正出来るスタンプ装置に成る。
【００８３】
図24の、産業上の利用可能性説明図は、印刷印字印画装置説明文章図は、通常の印刷は、インクジェットプリンターとレーザープリンターの二種類に成り、パソコン等のデーター磁気認識とレーザープリンター式の感光ドラム式に成り、新技術として、他社無い、ライトカメラの文字と画像を、軽水素トリチウム電子入りのＣＣＤの高速被写体認識装置のデーター認識によって、バイブ機能付きの超細ペン式の印刷印字装置などによって、書きこむ装置に成るが、商品価値としては、シャープが、商品を、作る権利を、各社に権利の譲渡を、している為、印刷機の技術は、各社さまざまに成り、新技術競争の激しい分野に成り、現在、特許切れ商品に成りつつ有る理由として、特許切れ技術と印刷機内部の機械構造部品が、少ない為、今後10000円以下の印刷機の出現とトナーの収納容量を、現在の5倍程にしても、トナーの料金を、同じくする技術の方が、技術開発に成ると言える。
最後に、特許権以外の商売として、使い終わったトナーカートリッジに、インクを、低価格で、入れる商売の方が、今後、儲かると言える。
問題は、中国販売の印刷機トナー料金の方が、安い場合、トナー商品の材料費が、安いと考えられる為、材料費を、下げるのも、今後の課題いに成る。
【００８４】
図25の、産業上の利用可能性説明図は、高出力電磁誘導Ｗ発電ダイナモ説明文書図は、通常ダイナモと異なる軽水素トリチウム電子入り圧電素子磁石体内臓の通常ダイナモの電気打撃発電と高出力ダイナモ軸に取り付く、高出力電磁誘導装置は、高出力圧電素子磁石体と高出力銅筒官コイル配線を、使った高出力電磁石と人工合成永久磁石体を使った高出力電磁誘導発電装置の二種類の異なった発電装置によって、通常ダイナモ発電と高出力軽水素トリチウム電子入り圧電素子磁石体の高出力圧電素子磁石体の通常ダイナモ電気打撃発電と軽水素トリチウム電子入りの圧電素子磁石体粒子内蔵のシリコン電気熱瞬間吸収発電シートパネル発電装置と高出力電磁誘導発電装置の四種類の発電方式を、使った、高出力ダイナモ電磁誘導発電装置が、全世界のダイナモに代わっての発電装置が、主流に成りそうで有る。
【００８５】
図26の、産業上の利用可能性説明図は、振動吸収2層ポルトナット構造の説明図で有り、振動を、ポルトが直接受けない用に、通常ボルトに半割のカバーポルトを、通常ネジポルトに反割りネジポルトカバーポルトを、被せたネジ山にナットを、止める事で、複数リング式のボルトと半割複数リングポルトは、地震の際ポルト自体に掛ける負担を、軽減する為に、考えられた地震対策用ボルトナット構造に成り、鋼鉄ポルト等が有るが、ポルトナット加工代が安く済む、地震対策用のボルトナット構造の説明図に成り、高速スクリュー波を、まともに受ける人工衛星の固定方法等も、考える理由として、人工衛星の軌道を変える技術は、様々な技術が有るが、超高速スクリュー波打撃を、使った人工衛星などは、振動吸収の対策が必要とする。
【００８６】
図27の、産業上の利用可能性説明図は、超軽量ポルトナット構造説明図は、超軽量の人工衛星用のボルトナット構造に成り、金属ボルトとナットの中抜きを、行ったポルトとナットに、超軽量物質の木材灰入りプラスチックを、金属ポルトとナットの空間に超軽量物質の木材灰入りプラスチックを、埋める事によって、超軽量の金属ナットが、出来る事によって、家電製品の超軽量ポルトナット構造に成り、家の内壁ポルトナットに使用したり、玩具のボルトナット構造に使用したりする事で、超軽量のボルトナットの使用用途に成り、空洞ボルトとナットの製造方法は、型に金属を溶かした物質を流し込む空洞ポルトナットの製造方法に成り、最近では、家電製品のボルトナット使用の無い製品が多いのも特徴の一つに成る。
この他、木材灰の使用用途として、速効の接着材に木材灰の超微粒子を入れた超軽量接着材と速効性の接着材に、木材灰とゴムの超微粒子を、入れる事で接着した物同志がスプリングの役目をする接着剤等の利用方法が有る。
【００８７】
図28の、産業上の利用可能性説明図の、部分指定の文字書き込み録画ビデオ再生装置の説明として、通常ビデオの前に、ビデオリモコンで、ペイント画像と自然画像の組立画像を使って、宣伝部分の人を、変えたり、音声を、変えたり、物体を変えたりして、自分風の宣伝に、アレンジして、ビデオ時間の宣伝時間の内容を、ビデオリモコンとビデオリモコンカードアダプタによって、ビデオの宣伝部分の画像の頭部分を変えたり、首からしたを、変えたり、人全体を、変えたりする為の情報が、カードに内蔵されている
装置に成り、2001年の著作権作品に成り、この技術は、カメラの写真の顔部分を、変えたり出来る技術に於いても、カード内蔵カメラとカード取り付け型カメラで無ければ出の来ない技術に成り、2001年の作品に成りテレポーテイションのカメラ被写体移動技術が、カメラ及びビデオばかりか、テレビ及び携帯電話のカメラ画像を設定画像に、部分的に変える事の出来るテレポーテイション技術に成る。
此の場合、2001年当初は、デジタルカメラは、日本技術に無かったと信じたが、後に、日本のデジタル波カメラ技術が、判明した為、現在では、ノーマルカメラのテレポーテイション技術に成る。
従って、カメラの被写体部分を、取り換える技術は、自動車カメラの被写体形状認識の、全自動速度調整装置と緊急パブレイション連絡装置及び緊急音声連絡装置によって、自転車及びバイクの接近を、音声と自動車カメラ連絡出来る装置の利用応用技術に成る。
【００８８】
図29の、産業上の利用可能性説明図の、超軽量発電高出力ＤＣブラシレスインバータ制御モーターの構造説明図は、通常のＤＣブラシレスインバータ制御モーターの電磁石モーターの電磁石部分を、高出力圧電素子磁石体と高出力銅筒官コイル配線を、巻いた電磁石の磁気の強い部分に電気供給分の電気配線を取り付け圧電素子磁気の弱い部分に増幅電気取り出し分の電気配線を、設けた複数配線の高出力電磁石配線の電磁石内部に別の二本の電気配線を、設けた高出力ＤＣブラシレスインバータ制御モーターの高出力発電回路の二本のそれぞれの電気配線の電磁石各部の取り付け位置説明に成る。
【００８９】
図30の、産業上の利用可能性説明図の、追加図面を、送付した時の郵便物受領書図で有り、特願2011ー562の追加の産業上利用可能性説明図の領収書付き追加図面に成り、知的所有財産の発明の発生日が、領収書付き図面によって明白に成る。
【００９０】
図31の、産業上の利用可能性説明図の、追加図面を、送付した時の郵便物従量書図で有り、特願2011ー562の追加の産業上利用可能性説明図の領収書付き追加図面に成り、知的所有財産の発明の発生日が、領収書付き図面によって明白に成る。
【００９１】
図32の、産業上の利用可能性説明図の、超高出力ソーラーパネル発電システムの説明図は、クリスタルガラスの下に、軽水素トリチウム電子入り圧電素子磁石体粒子及び水銀内蔵のシリコン光熱瞬間吸収発電装置と高出力発電回路と圧電素子4電子磁気分割装置を、使った超高出力のソーラーパネルの発電システムの構造説明図で有り、高出力ソーラーパネルの、軽水素トリチウム電子入り圧電素子磁石体粒子内蔵シリコンソーラーパネルより、熱吸収率が、アップするソーラーパネルに成る。
【００９２】
図33の、産業上の利用可能性説明図の、水発電機システム説明図で有り、水道水官と高出力電動仕切り弁を、高出力水発電機の水中ポンプ室に取り付ける事によって、風呂水と床暖房の湯水と家庭菜園の湯熱と地熱暖房システムの湯熱官として、高出力水発電機の発電時に発生する電気熱を、使った給水配管の説明文書図で有る。
ここでは、スクリュー官等の設置説明と濾過水装置及び、高出力電動モーター仕切り弁の設置説明図に成る。
【００９３】
図34の、産業上の利用可能性説明図の、3重金属線を、使った軽水素酸素水電気ストーブ発電機は、電熱線の中央部にテングステン金属のニクロム線に水銀層を経て、レアーアースまたは、銅または、銅錫合金または、ニクロム線カバー構造の電熱線の3重金属電熱線に成り、軽水素酸素水の沸騰温度が低い水を、使用積載した電熱線によって、気化水を作り、気化水は、水銀炭素の熱瞬間吸収の軽水素と酸素の化学反応発電装置及び圧電素子磁石体複数針穴形状パネル内蔵の液体マグネシウムの軽水素酸素水の瞬間吸収発電装置によって、発電出来る水発電機と水発電機に、電動仕切り弁と送風モータースクリュー装置を、付けた水発電機の熱発生応用のストーブと軽水素酸素水を、スクリュー官と、水車型超小型高出力ダイナモの発電沸騰水制御ダイナモと気化水の沸騰水還元装置によって、蒸気を、大気中に出さないで、沸騰水循環の沸騰水熱の電気ストーブを可能にした電気ストーブ装置。
【００９４】
図35の、産業上の利用可能性説明図の、スクリュー(複数スクリュー水)によって、家を、浮かせる一戸建て免振装置は、通常の水管より、水スピードを上げる事の出来るスクリュー官を使用積載する事で、高出力水中スクリュー官ポンプによって、複数設置する事で、一戸建ての家をスクリュー水で、浮かす事の出来る装置。
ここでも、スクリュー官が使用されるが、通常の水を、スクリュー水官に水を、通すだけで、水スピードを上げる事の出来る装置に成る。
【図面の簡単な説明】
【００９５】
【図１】本発明の実施形態を示す超軽量高出力発電人工衛星の上面図
【図２】同超軽量高出力発電人工衛星の後方から見た外観図
【図３】同超軽量高出力発電人工衛星の高出力ソーラーパネルの増幅発電システム図
【図４】同超軽量高出力発電人工衛星のフアイブ切換え超望遠カメラの構造説明図
【図５】同超軽量高出力発電人工衛星の新2連振子型機械式発電機の構造説明図
【図６】同超軽量高出力発電人工衛星の超軽量高出力コイルと高出力銅筒官コイルの構造説明図
【図７】同超軽量高出力発電人工衛星の高出力ＤＣブラシレスインバータ制御レールモーター構造説明図
【図８】同超軽量高出力発電人工衛星の高出力発電回路の説明図
【図９】同超軽量高出力発電人工衛星の高出力衛星電波送受信アンテナ構造説明図
【図１０】同超軽量高出力発電人工衛星の二層絶縁体の構造説明図
【図１１】産業上の利用可能性の電気充電のいらない冷蔵庫の未来製品図
【図１２】産業上の利用可能性の電気の入らない置き型冷暖房クーラーの未来製品図
【図１３】産業上の利用可能性の家庭電気の入らない空気清浄加湿器図
【図１４】産業上の利用可能性の家庭電気配線の入らない全自動瞬間乾燥洗濯機図
【図１５】産業上の利用可能性の電気充電の必要の無い全自動ニャンワンロボット掃除機図
【図１６】産業上の利用可能性の全自動高出力食器洗い乾燥機図
【図１７】産業上の利用可能性の電気の入らない発酵熱発電池積載の扇風機図
【図１８】産業上の利用可能性のトリプル録画再生長時間置き型ビデオ図
【図１９】産業上の利用可能性の磁気認識と異なるライトカメラ印刷機図
【図２０】産業上の利用可能性の多層カードカートリッジ型情報装置図
【図２１】産業上の利用の可能性の組み立てパネル型の軽量ハウス説明文書図
【図２２】産業上の利用可能性の貯蓄電池の説明図
【図２３】産業上の利用可能性の年月日衛星時計時間スタンプ説明図
【図２４】産業上の利用可能性の印刷印字印画装置説明文章図
【図２５】産業上の利用可能性の高出力電磁誘導W発電ダイナモ説明文書図
【図２６】産業上の利用可能性の振動吸収二層ポルトナット構造説明図
【図２７】産業上の利用可能性の超軽量のボルトナット構造説明図
【図２８】産業上の利用可能性の部分指定の文字書き込み録画ビデオ再生装置説明文章図
【図２９】産業上の利用可能性の超軽量発電高出力DCブラシレスインバータ制御モーターの構造説明文章図
【図３０】追加図面を送付した時の郵便物の受領書図
【図３１】追加図面を送付した時の郵便物の受領書図
【図３２】産業上の利用可能性の超高出力ソーラーパネル発電システム説明図
【図３３】産業上の利用可能性の水発電機システム説明図
【図３４】産業上の利用可能性の3重金属電熱線を使った軽水素酸素水電気ストーブシステム発電機説明文書図
【図３５】産業上の利用可能性の複数のスクリュー官を使ったスクリュー水によって、家を浮かせる免振装置の説明文書図
【発明を実施するための形態】
【００９６】
以下、本発明の実施の形態を、図1〜図10に基ずいて説明する。
【００９７】
図1に於いて、1は太陽光熱瞬間吸収発電ソーラーパネルは、太陽光瞬間吸収発電と太陽熱瞬間吸収発電と電波受信アンテナを、兼ねた装置の、あらゆる家電製品及びソーラーカーなどのソーラーパネルの新技術に成り、回路熱の瞬間吸収発電装置及び充電池及びバッテリー等の瞬間熱吸収発電装置に成る装置は、2の高出力モーター鎹軸に成り、1の太陽光熱瞬間吸収発電ソーラーパネルを、広げる為の装置に成り、超高速スクリュー波打撃の人工衛星移動時は、1の太陽光熱瞬間吸収発電ソーラーパネルは、閉じた状態にして、人工衛星下部に超高速スクリュー波を当てて、人工衛星の軌道全自動修正を、行う事が出来る。
【００９８】
図1の、3の高出力DCブラシレスレールインバータ制御モーターのは、超軽量モーターと電気消費の世界最小モーターに成り、1の太陽光熱瞬間吸収発電ソーラーパネルの開閉装置に使用する事に成り、4の他の電波の送受信装置は、飛行機ＧＰＳ無線と船ＧＰＳ無線とロボットＧＰＳ無線と水中ロボットＧＰＳ無線とトンネルロボットＧＰＳ無線と災害ロボットＧＰＳ無線と全自動電気自動車と全自動農耕機と全自動建設機械と全自動地下高出力リニアーカーと全自動地下掘削機と全自動産業機械ロボットと全自動林業機械ロボットと全自動笹竹刈り回収機械と全自動一戸建て組立ロボットの位置管理をする為の装置で有る。
【００９９】
図1の、5の衛星電波送受信装置は、現在使用されているＧＰＳ電波機能に成り、6の新2連振子型機械式発電機は、竹灰入りプラスチックパネル等を、使用積載した超軽量の6の新2連振子型機械式発電機は、超軽量の高出力発電機に成り、多機能の衛星機器を、積載内臓出来る装置に成る。
【０１００】
図2の、7の電波送受信アンテナは、1の太陽光熱瞬間吸収発電ソーラーパネルの軽水素トリチウム電子入り圧電素子磁石体粒子内蔵シリコンソーラーパネルの軽水素トリチウム電子効果と圧電素子磁石体粒子の電波受信効果を、用いてアンテナと高出力ソーラーパネルを、共有使用した新技術に成る。
そして、8の衛星ＧＰＳ送受信アンテナは、衛星ＧＰＳ位置を、特定する為の、電波を、送信する為のアンテナ装置に成る為、10の、超望遠レントゲンファイブ切換えカメラの、望遠カバーを、ＧＰＳ電波の発信装置兼用とする事で、超軽量を進めて入る。
【０１０１】
図2の、9のサモーカメラと10のレントゲンカメラは、放射線タンクを、持たない構造の、一回使用分の放射線量を、透明プラスチック及び透明シリコン及び透明ビニール及び透明ナイロンに混合合成して、透明シートカバーを行って、クリスタルガラス等で、保護したパネルは、複数のカメラを、一台のカメラで使用する為、この技術に成り、紫外線カメラの紫外線パネルと赤外線カメラの、赤外線パネルが、モーター移動して、五種類の超望遠カメラを、それぞれ楽しむ事が出来る。
【０１０２】
図3の、1の高出力ソーラーパネルの、太陽光熱瞬間吸収発電ソーラーパネルの発電電気量を、アップする為、17の高出力発電回路は、1の高出力ソーラーパネルシステム回路の中の一つの新技術発電システムで有り、1の高出力ソーラーパネルのプラス配線には、18の高出力発電プラス回路が取り付けられ、1の高出力ソーラーパネルのマイナス配線には、19の高出力発電マイナス回路が、取り付けられ、無駄に発生した熱エネルギーは、11の軽水素トリチウム電子入り圧電素子磁石体粒子内蔵光熱瞬間吸収発電シリコンシートパネルと14の銅板シートプラス電極と15の銅板シートマイナス電極を、11の軽水素トリチウム電子入り圧電素子磁石体粒子内蔵光熱瞬間吸収発電シリコンシートパネルに内蔵した構造に成り、12のプラス銅筒官電気配線と13のマイナス銅筒官配線が、取り付けられた構造に成って入る。
そして、1の高出力ソーラーパネルの18の高出力発電プラス回路に、20のプラス圧電素子4電子磁気分割装置が、プラス配線に取り付けられ、プラス電気抵抗の無い電気を、プラス配線から得る事が出来て、1の高出力ソーラーパネルの19の高出力発電マイナス回路に、21のマイナス圧電素子4電子磁気分割装置が、マイナス配線に取り付けられ、マイナス電気抵抗の無い電気を、マイナス配線から得る事が出来る為、急速受電が、無駄無く可能に成る。
【０１０３】
図4の、10の超望遠レントゲンファイブ切換えカメラは、人工衛星の下部部分に取り付けられ、26の超望遠鏡レンズは、24の凸レンズ構造と25の大レンズ構造に成っており、28のモーター移動型放射線内蔵パネルは、カメラ機能切換えによって、5種類の超望遠カメラが、作動切換え出来るカメラシステムに成り、27の新ＣＣＤ装置は、軽水素トリチウム電子入りダイオードＣＣＤパネルに成り、カメラデーターは、16のスクリュー官スクリュー波装置によって、高速電波データー人工衛星送受信を可能にして入る。
【０１０４】
図5の、49の新2連振子型機械式発電機は、34の第一振子型機械式発電機と35の第二振子型機械式発電機の相互の30の高出力ダイナモの発電した電気を、ダイナモ回転速度の増幅電気として、二つの機械式発電機の総合発電量を上げる事の出来る発電機。
従って、37の振子装置は、31の連動歯車と32の大型ゼンマイ全自動巻き取り型装置の歯車全自動回転と37の振子装置を、38の高出力電磁石左側装置と39の高出力電磁石右側装置に、37の振子装置の40の左側人工合成永久磁石と41の右側人工合成永久磁石の電磁石反発によって、31の連動歯車を、片側回転させる事の出来る装置で有り、32の大型ゼンマイ全自動巻き取り型装置の31の連動歯車の増幅回転によって、30の高出力ダイナモを、回転させて発電出来る装置に成る。
更に、38の高出力電磁石左側装置と39の高出力右側電磁石装置の連続磁極切換えは、36の高出力インバータ装置によって、37の振子装置の連続作動を43の第一バッテリーと44の第二バッテリーと45の第三バッテリーと46の第四バッテリーの電源の電気エネルギーを、48の高出力電気増幅装置によって、37の振子装置の高速回転を可能にして、30の高出力ダイナモの高速回転による増幅発電を可能にしている。
【０１０５】
図5の、47は、循環発電型高出力発電回路は、43の第一バッテリーと44の第二バッテリーと45の第三バッテリーと46の第四バッテリーを、47の循環発電型高出力発電回路を、複数取り付ける事で、第一〜第四バッテリーを、循環発電型のパッテリーに変える事が出来る。
更に、30の高出力ダイナモの発電した電気を増幅する為に、17の高出力発電回路を、複数個必要に成る。
【０１０６】
図5の、33の電圧調整装置は、32の大型ゼンマイ全自動巻き取り装置の、高出力モーターの低圧電気にする為に積載使用する装置に成り、ポルト止めボックス装置構造に成って入る。
そして、図5の、49の新2連振子型機械式発電機の装置の取り付け型は、軽量アルミニュームポルトナット止め構造に成って入る。
【０１０７】
図5の、49の新2連振子型機械式発電機の本体カバーの超軽量パネルは、70の、竹灰入りプラスチック超軽量パネルは、竹炭を、燃やした後に出る灰を、プラスチック合成したパネルを、49の新2連振子型機械式発電機に積載した最新式の超軽量パネル内蔵の新2連振子型機械式発電機に成る。
【０１０８】
図6の、超軽量高出力発電人工衛星に、必要な52の高出力コイルは、通常コイルより、電気の通りが良いコイル配線の50の銅筒官コイル配線の銅筒状の中に、51の、軽水素トリチウム電子入り圧電素子磁石体粒子内蔵電気配線を、50の銅筒官コイル配線の筒状の中に入れた電気の通り易い物資で出来た電気配線物質を、50の銅筒官コイル配線の中に入れた電気配線に成り、コイルに50の銅筒官コイル配線を、コイル状に巻いた装置を、52の高出力コイルと言う。
【０１０９】
図6の、53の銅筒官電気配線は、プラスチックゴムに竹灰を入れる事で、超軽量のプラスチックゴムが出来上がり、50の銅筒官コイル配線に、被せる絶縁体プラスチックゴムを、燃えずらい物質の竹灰を、プラスチックゴムに煉り込んで混合合成する事で、超軽量の弱冠燃えずらいプラスチックゴムが出来上がり、50の銅筒官コイル配線に電気配線の表皮として、54の竹材又は木材灰入りプラスチックゴム絶縁体に成る。
【０１１０】
図7の、3の高出力ＤＣブラシレスレールインバータ制御モーターは、55の、軽水素トリチウム電子入り圧電素子磁石体シートパネルに56の、軽水素トリチウム電子入りチタン酸バリウムシートパネルを、交互に貼り合わせた高出力圧電素子磁石体の滑落防止材として、57の、超薄型複数針穴空きステンレスパネルを、55と56を、交互に貼り合わせた高出力圧電素子磁石体に、57の超薄型複数針穴空きステンレスパネルを、折り込む用に55と56の高出力圧電素子磁石体を、超薄型の複数針穴空きのステンレスで固定した人工合成永久磁石体に成り、50の銅筒官コイル配線を巻く事で、超軽量の58の高出力電磁石に成り、55と56と57を組み合わせた人工合成永久磁石を、16個以上と58の高出力電磁石と71の竹灰入りプラスチック超軽量絶縁体と36の高出力インバータ装置を、16個以上組み合わせたＤＣブラシレスモーターを、3の高出力ＤＣブラシレスレールインバータ制御モーターに成り、超軽量高出力発電人工衛星の高出力モーターとして、使用積載するモーター装置に成る。
超軽量ポルトナットとして、ポルトとナット金属を、空洞にして、木材灰入り樹脂を入れて固めて圧縮した軽量樹脂を、空洞ポルトナットに入れて固めた72の、超軽量ポルトナットに成り、3の高出力ＤＣブラシレスレールインバータ制御モーターの固定用の、超軽量ポルトナットに成る。
更に、3の高出力ＤＣブラシレスレールインバータ制御モーターの、73の人工合成永久磁石体は、別名高出力圧電素子磁石体に成り、17の高出力発電回路を、3の高出力ＤＣブラシレスレールインバータ制御モーターの73の人工合成永久磁石を、17の高出力発電回路の18のプラス高出力発電回路と19のマイナス高出力回路を、交互に内蔵した3の高出力ＤＣブラシレスレールインバータ制御モーターに成り、人工衛星にとって、特に電気消費の少ないモーター説明に成る。
【０１１１】
図8の、17の高出力発電回路は、電気を、プラス発電回路とマイナス発電回路に、プラス電気とマイナス電気を、通しただけで増幅発電出来る装置で有り、60の通常プラス電気を、18のプラス高出力発電回路の三個の18のプラス発電回路に60の通常プラス電気を、通す事によって、62の増幅プラス電気を、得る事の出来る装置で有り、61の通常マイナス電気を、19のマイナス高出力発電回路の三個の19のマイナス発電回路に61の通常マイナス電気を、通す事によって、63の増幅マイナス電気を、得る事の出来る装置。
従って、17の高出力発電回路本体構造は、通常の圧電素子磁石体と異なる17の高出力発電回路の別名の高出力圧電素子磁石体に成り、55の軽水素トリチウム電子入り圧電素子磁石体シートパネルと56の軽水素トリチウム電子入りチタン酸バリウムシートパネルを、交互に貼り合わせる事で、圧電素子磁石体内の軽水素トリチウム電子量を、最大限に内蔵した軽水素トリチウム電子入りの圧電素子磁石体に成り、軽水素トリチウム電子放出を避ける為に、竹材灰入りプラスチック絶縁体で保護した17の高出力発電回路に成る。
【０１１２】
図9の、64の圧電素子磁石体粒子内蔵アンテナは、プラスチックと圧電素子磁石体と軽水素トリチウム電子とダイオード素子を、混合合成した7の衛星電波送受信アンテナに成り、地球からの衛星波を、キャッチしたり、地球からの高速スクリュー衛星波をキャッチしたり、全自動でＧＰＳ位置波を全自動送信出来る装置で有り、58の高出力電磁石に65の銅筒官電気プラス配線と66の銅筒官電気マイナス配線を内蔵積載した人工衛星の7の衛星電波送受信装置に成る。
【０１１３】
図10の、67の二層絶縁体は、68の木材灰入りグラスファイバー絶縁体と69の石の粉粒子と固形窒素入りグラスファイバーシートを、貼り合わせたり、交互に重ねた67の二層絶縁体に成る。
【符号の説明】
【０１１４】
1     太陽光熱瞬間吸収発電ソーラーパネル     →世界最大発電ソーラーパネル新技術→別名高出力ソーラーパネル   
2     高出力モーター鎹軸    →高出力ＤＣブラシレスインバータ制御レールモーター
3     高出力ＤＣブラシレスインバータ制御レールモーター    →世界最小電気消費モーター新技術  
4     他の電波送受信装置  →超マイクロ送受信装置   
5     ＧＰＳ衛星電波送受信装置→高出力ＧＰＳ衛星電波送受信装置の高出力コイル及び高出力銅筒官配線等の内蔵積載新技術装置
6     新2連振子型機械式発電機→超軽量2連振子型機械式発電機   
7     電波送受信衛生アンテナ装置   
8     衛生ＧＰＳ送受信アンテナ
9     熱感知サモーカメラ→放射線パネル内蔵型の軽水素トリチウム電子入りダイオード被写体認識装置の新技術積載装置
10    超望遠レントゲンスコープ ファィブ切換えカメラ→通常超望遠カメラ＋熱感知超望遠サモーカメラ＋赤外線超望遠カメラ＋紫外線超望遠カメラ＋レントゲン超望遠スコープカメラの放射線内蔵パネル＋赤外線内蔵パネル＋紫外線内蔵パネルのモーターパネルのカメラ機能のボタンワンタッチ切換え機能及び音声切換え機能
11    軽水素トリチウム電子入り圧電素子磁気粒子内蔵光熱瞬間吸収発電シリコンシートパネル→高出力熱吸収発電シートパネル
12    プラス銅筒官電気配線→別名高出力プラス銅筒官配線
13    マイナス銅筒官電気配線→別名高出力マイナス銅筒官配線
14    銅板シートプラス電極
15    銅板シートマイナス電極
16    スクリュー官スクリュー波装置→電波を、スクリュー状に高速発射出来るスクリュー電波送信配管装置
17    高出力発電回路→プラス高出力発電回路とマイナス高出力発電回路に成り、別名の呼び名として、高出力圧電素子磁石体発電回路とも言う。
18    高出力プラス発電回路
19    高出力マイナス発電回路
20    プラス圧電素子4電子磁気分割装置
21    マイナス圧電素子4電子磁気分割装置
22    高圧プラス電気
23    高圧マイナス電気
24    とつレンズ
25    おおレンズ
26    超望遠鏡レンズ→一つ削り魚眼とつレンズ望遠鏡等の新技術望遠鏡も有る
27    新ＣＣＤ装置→軽水素トリチウム電子入りＣＣＤ被写体認識確認認知全自動連絡装置→通常のＣＣＤより、光認知及び認識及び連絡が速い被写体認識装置
28    モーター移動型放射線内蔵パネル→放射線を、大気に放出しない放射線パネル
29    人工衛星本体
30    高出力ダイナモ→高出力圧電素子磁石体のダイナモ電気打撃発電と通常ダイナモのダブル発電した増幅電気を得る事の出来る世界初のダイナモ新技術
31    連動歯車→他に、超軽量高出力圧電素子磁気歯車等が有る
32    大型ゼンマイ全自動巻き取り型装置
33    電圧調整装置
34    第1振子型機械式発電機
35    第2振子型機械式発電機
36    高出力インバータ装置→高出力圧電素子磁石体と高出力銅筒官電気配線を使ったインバータ磁極切換え装置
37    振子装置→自動電池及び自動充電池及び機械式発電機に積載する歯車回転エネルギーを、片方回転の歯車エネルギーを発生させる為の振子装置
38    高出力電磁石左側装置
39    高出力電磁石右側装置
40    左側永久人工合成磁石→高出力圧電素子永久磁石体
41    右側永久人工合成磁石→高出力圧電素子永久磁石体
42    圧電素子4電子磁気分割装置→電気中の熱抵抗電気を取り除く世界初の電気を、瞬間に磁気電気にしてから、熱抵抗磁気電気を取り除く世界初の装置
43    第一バッテリー  →分解解体再利用機能付き
44    第二バッテリー  →分解解体再利用機能付き
45    第三バッテリー  →分解解体再利用機能付き
46    第四バッテリー  →分解解体再利用機能付き
47    循環発電型高出力発電回路 →充電池及びバッテリーの連続発電充電池と連続充電バッテリーを可能にした新技術装置 
48    高出力電気増幅装置→高出力マグネトロン装置を使用積載した電気電子増幅変換装置
49    新2連振子型機械式発電機→半永久無害無給油連続作動発電機
50    銅筒官コイル配線→軽水素トリチウム電子入り圧電素子磁石体粒子混合合成の電気配線内蔵の銅筒官コイル配線
51    軽水素トリチウム電子入り圧電素子磁石体粒子内蔵電気配線
52    高出力コイル→高出力銅筒官コイルを、コイルに巻いた高出力コイル新技術 
53    銅筒官電気配線 →電気の通り易い物質で構成されている二層電気配線の新技術 
54    木材灰入りプラスチックゴム絶縁体 →別名の軽量プラスチックゴム絶縁体
55    軽水素トリチウム電子入り圧電素子磁石体シートパネル 
56    軽水素トリチウム電子入りチタン酸バリウムシートパネル  
57    超薄型複数針穴空きステンレスパネル→高出力圧電素子磁石体の滑落防止装置 
58    高出力電磁石→新技術の高出力圧電素子磁石体に新技術の銅筒官コイル配線を巻いた超軽量の電気スピードの電気の流れが速い磁気電子増幅出来る電磁石
59    木材灰入りグラスファイバーシートパネル →軽量グラスファイバーシートパネル
60    通常プラス電気
61    通常マイナス電気
62    増幅プラス電気
63    増幅マイナス電気  
64    圧電素子磁石体粒子内蔵アンテナ
65    銅筒官電気プラス配線   
66    銅筒官電気マイナス配線
67    2層絶縁体
68    木材灰入りグラスファイバー絶縁体→軽量グラスファイバー絶縁体
69    石の粒子と固形窒素入りグラスファイバーシートパネル→別名の冷却グラスファイバーシートパネル
AD1   電気充電の入らない冷蔵庫の未来製品
AD2   大型発電液晶回路テレビパネル→高出力発電回路を複数個積載内臓し電気熱瞬間吸収発電装置の軽水素トリチウム電子入り圧電素子磁石体粒子内蔵シリコン熱瞬間吸収発電シートパネル新技術積載装置
AD3   小型発電ガス映像回路発電テレビパネル
AD4   固形窒素内蔵木材灰入りプラスチックパネル
AD5   スクリュー固形窒素冷風官
AD6   スクリュー冷風官繋ぎパルプ
AD7   フロンガス内蔵炭素ビニールカートリッジ冷却装置
AD8   新2連振子型機械式発電機→半永久無害無給油連続作動発電機
AD9   竹灰入りプラスチック超軽量パネル
AD10  冷蔵庫二つ切れ放し位置
AD11  リモコンジュース缶取り出しロボット口
AD12  電気の入らない置き型冷暖房クーラーの未来製品
AD13  加湿用貯水熱発電タンク
AD14  インターネット用発電液晶回路テレビパネル
AD15  フロンガス内蔵ケイ素ヨウ素プラスチックカートリッジ冷却装置
AD16  高出力モーター
AD17  スクリュー冷暖房発電送風管
AD18  地方自治体の文字無線高出力発電回路液晶テレビパネル
AD19  高出力超小型水発電機
AD20  電気消費を少なくする圧電素子4電子磁気分割装置→電気中の熱抵抗電気を取り除く世界初の装置
AD21  一戸建て免振装置の改良タイプ圧電素子磁石粒子入りビニールパネル 
AD22  暖房用テングステン金属内蔵ニクロム線
AD23  スクリュー固形窒素官
AD24  家庭電気配線の入らない全自動瞬間乾燥洗濯機
AD25  洗濯槽撮影魚眼一つ削り凸レンズ
AD26  防犯用撮影映像発電回路内蔵映像パネル
AD27  二つ開き扉(蓋装置)
AD28  超軽量糸使用の木材灰入りテトロン合成糸網(この他、木材灰入りナイロン合成糸網)
AD29  高出力DCブラシレスインバータ制御レールモーター
AD30  全自動高出力真空装置瞬間乾燥機
AD31  高出力全レールモーター沸騰水制御発電機
AD32  循環水濾過タンク装置
AD33  洗濯機タッチ液晶パネルボタン
AD34  家庭電気の入らない空気清浄加湿器
AD35  ゴミ取り用生ゴミ灰入りプラスチック網フイルター(付属品パネル室内空気取り入れ官超軽量)
AD36  高出力卍形状インバータ制御モーター
AD37  加湿用熱発電水タンク
AD38  超軽量雑草灰入りエボナイトナイロン網フイルター
AD39  超軽量木材灰入りプラスチック網フイルター
AD40  超軽量竹材灰入り圧電素子磁石体粒子内蔵ビニール網フイルター
AD41  軽水素酸素陽電子陰電子スパーク発電機→半永久無害無給油連続作動発電機→自然界の雷発電現象技術を、応用した発電機
AD42  電気消費を少なく出来る圧電素子4電子磁気分割装置
AD43  電気充電の必要の無い全自動ニャンワンロボット掃除機
AD44  ゴミ吸い取り口
AD45  高出力モーター口
AD46  ロボットアーム(ロボット腕アーム装置)
AD47  ブルーソーラー(青い猫の目)
AD48  室内GPS耳アンテナ
AD49  ワンタッチ高出力発電回路液晶スプリング内蔵テレビ
AD50  室内天上取り付け型GPS室内地図
AD51  縄型棒形状モーター
AD52  新2連振子型機械式発電機→半永久無害無給油連続作動発電機→高出力ダブルダイナモ発電装置に伴う高出力発電回路等の増幅発電タイプ
AD53  高出力モーター吸引用
AD54  フイルター風出口
AD55  ゴミ箱
AD56  ゴミ圧縮装置
AD57  高出力モーター
AD58  圧電素子磁石体粒子入り木材灰入りプラスチックゴム滑り止め装置
AD59  全自動高出力食器洗い乾燥機
AD60  取り外し型磁石プラスチックゴム滑り止め装置
AD61  食器
AD62  高出力噴水ノーズルモーター(複数スクリュー形状噴射口)
AD63  食器洗い用濾過水タンク
AD64  高出力発電回路付き循環発電バッテリー
AD65  超小型高出力真空コンプレッサー装置
AD66  電気の入らない発酵熱発電池積載の扇風機
AD67  スクリュー電波高出力リモコン装置
AD68  高出力卍形状インバータ制御レールモーター
AD69  氷貯蔵タンク固形窒素内蔵合成プラスチックタンク室(発砲スチロールパネル複数層パネル構造タンク)
AD70  発酵木材粒子竹粒子内蔵内蔵軽水素トリチウム電子熱発電池→三年間無交換型電子熱発酵熱吸収発電池
AD71  波形状圧電素子磁石体粒子内蔵ダイオードゴム滑り止め装置
AD72  タッチパネル
AD73  冷蔵庫及び濾過水タンク送風管取り付け金具
AD74  固形窒素内蔵合成プラスチック官
AD75  固形窒素合成プラスチック扇風機羽根
AD76  トリプル録画再生長時間置き型ビデオ
AD77  プラスチックビニール滑り止め装置
AD78  各操査パネル(巻き取り型布カーテンカバー付き)
AD79  音量摘み装置(夜光型動物形状摘み装置)
AD80  発電回路内蔵テレビ
AD81  表裏両面卵型空洞MD装置
AD82  木材灰入りプラスチック絶縁体
AD83  多層式圧電素子磁石体ライン磁気
AD84  ビデオ多層カードカートリッジ
AD85  高出力ソーラーパネル
AD86  ビデオ多層カードカートリッジ取り込み口
AD87  プラスチックビニール滑り止め装置
AD88  表裏両面卵型空洞MD取り込み口
AD89  表裏両面CD
AD90  複数筒型針印字画印刷装置
AD91  印刷機用スプリング電磁石飛び出し捜査パネル
AD92  印刷後ペーパー取り出し口
AD93  印刷前用紙認識用平行四辺形スプリングモーター箱
AD94  ロール印刷用ペーパー
AD95  高出力LEDライトカメラ
AD96  磁気認識と異なるライトカメラ
AD97  超軽量生ゴミ灰入りプラスチックパネル
AD98  クリスタルガラス
AD99  印刷用ペーパー収納場所
AD100 読み込み用ペーパー差し込み口
AD101 新2連振子型自動充電池→半永久無害無給油連続作動発電充電池
AD102 印刷機高出力発電回路
AD103 多層式カードカートリッジ型情報装置
AD104 複数高出力発電回路内蔵新2連振子型機械式発電機→半永久無害無給油連続作動発電機
AD105 高出力カメラマイク
AD106 多種電波使用型暗号音声認識発電回路表示操査パネル→音声暗号ダブルスイッチ
AD107 圧電素子磁気使用型多層式カードカートリッジ装置
AD108 データー送受信取り込み口
AD109 アンテナ兼用圧電素子磁気内蔵ダイオードビニール滑り止め装置
AD110 アルミニューム磁気絶縁パネル
AD111 アンテナ兼用圧電素子磁気内蔵滑り止め装置
70    竹灰入りプラスチック超軽量パネル→世界最軽量プラスチック合成パネル
71    竹灰入りプラスチック絶縁体→世界最軽量絶縁体
72    軽量樹脂内蔵ポルトナット
73    人工合成永久磁石体(別名→高出力圧電素子磁石体)
【図１】
2011155267.tif 000003
【図２】
2011155267.tif 000004
【図３】
2011155267.tif 000005
【図４】
2011155267.tif 000006
【図５】
2011155267.tif 000007
【図６】
2011155267.tif 000008
【図７】
2011155267.tif 000009
【図８】
2011155267.tif 000010
【図９】
2011155267.tif 000011
【図１０】
2011155267.tif 000012
【図１１】
2011155267.tif 000013
【図１２】
2011155267.tif 000014
【図１３】
2011155267.tif 000015
【図１４】
2011155267.tif 000016
【図１５】
2011155267.tif 000017
【図１６】
2011155267.tif 000018
【図１７】
2011155267.tif 000019
【図１８】
2011155267.tif 000020
【図１９】
2011155267.tif 000021
【図２０】
2011155267.tif 000022
【図２１】
2011155267.tif 000023
【図２２】
2011155267.tif 000024
【図２３】
2011155267.tif 000025
【図２４】
2011155267.tif 000026
【図２５】
2011155267.tif 000027
【図２６】
2011155267.tif 000028
【図２７】
2011155267.tif 000029
【図２８】
2011155267.tif 000030
【図２９】
2011155267.tif 000031
【図３０】
2011155267.tif 000032
【図３１】
2011155267.tif 000033
【図３２】
2011155267.tif 000034
【図３３】
2011155267.tif 000035
【図３４】
2011155267.tif 000036
【図３５】
2011155267.tif 000037